(57)【特許請求の範囲】
【請求項１】
サービスプロバイダが提供する複数のソフトウェア実体を同一のホームゲートウェイに相乗りさせて同時運用するためのホームゲートウェイソフトウェアパーミッション管理システムにおいて、
前記ソフトウェア実体を特定するためのソフトウェア識別子と前記ホームゲートウェイ上で稼働する前記ソフトウェア実体に付与される実行権限となるパーミッション情報とを前記ソフトウェア実体に対応づけて登録するためのパーミッション情報登録手段と、
前記ソフトウェア識別子および当該ソフトウェア識別子により特定されるソフトウェア実体に対応する前記パーミッション情報を前記ホームゲートウェイへ伝達するための識別情報伝達手段と、
を有するセンタ装置と、
前記センタ装置から前記ソフトウェア識別子および当該ソフトウェア識別子により特定されるソフトウェア実体に対応する前記パーミッション情報を取得するための識別情報取得手段と、
前記センタ装置から取得した前記パーミッション情報のみに従って前記ソフトウェア実体の実行権限を設定するための実行権限設定手段と、
前記ソフトウェア実体と前記ソフトウェア識別子と前記センタ装置の運営主体が許可しているパーミッション情報を組にして非可分にパッケージ化されたパッケージ化ソフトウェアが前記ホームゲートウェイにインストールされたことを検出するためのインストール検出手段と、
インストールされた前記パッケージ化ソフトウェアから前記ソフトウェア識別子を取得するための識別子取得手段と、
前記パッケージ化ソフトウェアから前記センタ装置の運営主体が許可した前記パーミッション情報を取り出すためのパーミッション情報取り出し手段と、
前記ソフトウェア識別子に対応する前記センタ装置から取得した前記パーミッション情報によるパーミッション設定が存在するか否かを確認するためのパーミッション情報確認手段と、
前記センタ装置から取得した前記パーミッション情報によるパーミッション設定が存在しない場合において、前記パッケージ化ソフトウェアから取り出した前記パーミッション情報にもとづいてパーミッション設定を行うための設定手段と、
前記センタ装置から取得した前記パーミッション情報による前記パーミッション設定の存在の確認または前記パッケージ化ソフトウェアから取り出した前記パーミッション情報によるパーミッション設定が完了するまでの間においてインストールされた前記パッケージ化ソフトウェアの起動を抑制するための起動抑制手段と、
を有するホームゲートウェイと、
を備えることを特徴とするホームゲートウェイソフトウェアパーミッション管理システム。
【請求項２】
サービスプロバイダが提供する複数のソフトウェア実体を同一のホームゲートウェイに相乗りさせて同時運用するためのホームゲートウェイソフトウェアパーミッション管理システムにおいて、
当該ホームゲートウェイには、
デバイスオブジェクトを当該デバイスオブジェクトの属性情報をあらわすデバイスカテゴリ情報と共に登録するためのデバイス管理ソフトウェアと、
前記デバイスオブジェクトに適合するドライバソフトウェア実体のドライバ識別子を前記デバイスカテゴリ情報に基づいて特定し、前記ドライバ識別子を伴うドライバソフトウェア要求に対応して前記ドライバソフトウェア実体を取得するためのドライバロケータソフトウェアと、
がインストールされており、
前記ドライバロケータソフトウェアに不可分にパッケージ化されるプレフィックス識別子と、前記プレフィックス識別子と前記ドライバロケータソフトウェアに体系付けられたドライバ識別子との組み合わせからなるソフトウェア識別子と、前記ホームゲートウェイ上で稼働する前記ドライバソフトウェア実体に付与される実行権限となるパーミッション情報と、を前記ドライバソフトウェア実体に対応づけて登録するためのパーミッション情報登録手段と、
前記ソフトウェア識別子および当該ソフトウェア識別子により特定されるソフトウェア実体に対応する前記パーミッション情報を前記ホームゲートウェイへ伝達するための識別情報伝達手段と、
を有するセンタ装置と、
前記センタ装置から前記ソフトウェア識別子および当該ソフトウェア識別子により特定されるソフトウェア実体に対応する前記パーミッション情報を取得するための識別情報取得手段と、
前記センタ装置から取得した前記パーミッション情報のみに従って前記ソフトウェア実体の実行権限を設定するための実行権限設定手段と、
前記デバイス管理ソフトウェアにより登録される前記デバイスオブジェクトから前記デバイスカテゴリ情報を取得するためのデバイスカテゴリ情報取得手段と、
前記ドライバロケータソフトウェアに前記デバイスカテゴリ情報を与えて前記ドライバ識別子を応答させるためのドライバ識別子応答手段と、
前記ドライバロケータソフトウェアに前記ドライバ識別子を与えて前記デバイスオブジェクトと連携動作する前記ドライバソフトウェア実体を取得させるためのドライバソフトウェア実体取得手段と、
前記ドライバロケータソフトウェアから前記ドライバロケータソフトウェアに不可分にパッケージ化された前記プレフィックス識別子を取得するためのプレフィックス識別子取得手段と、
前記プレフィックス識別子と前記ドライバ識別子から前記ソフトウェア識別子を生成するためのソフトウェア識別子生成手段と、
前記ドライバソフトウェア実体を生成した前記ソフトウェア識別子に対応するものとしてインストールおよび起動する起動手段と、
を有する前記ホームゲートウェイと、
を備えることを特徴とするホームゲートウェイソフトウェアパーミッション管理システム。
【請求項３】
サービスプロバイダが提供する複数のソフトウェア実体を同一のホームゲートウェイに相乗りさせて同時運用するためのホームゲートウェイソフトウェアパーミッション管理システムにおいて、
当該ホームゲートウェイには、
デバイスオブジェクトを当該デバイスオブジェクトの属性情報をあらわすデバイスカテゴリ情報と共に登録するためのデバイス管理ソフトウェアと、
前記デバイスオブジェクトに適合するドライバソフトウェア実体のドライバ識別子を前記デバイスカテゴリ情報に基づいて特定し、前記ドライバ識別子を伴うドライバソフトウェア要求に対応して前記ドライバソフトウェア実体を取得するためのドライバロケータソフトウェアと、
がインストールされており、
ドライバソフトウェア実体を定めるドライバ識別子をキーにして一意にソフトウェア識別子を検索可能なように体系付けられたドライバソフトウェアのソフトウェア識別子と、前記ホームゲートウェイ上で稼働しドライバロケータソフトウェアが取得する前記ドライバソフトウェア実体に付与される実行権限となるパーミッション情報を前記ドライバソフトウェア実体に対応づけて登録するためのパーミッション情報登録手段と、
前記ソフトウェア識別子および当該ソフトウェア識別子により特定されるソフトウェア実体に対応する前記パーミッション情報を前記ホームゲートウェイへ伝達するための識別情報伝達手段と、
を有するセンタ装置と、
前記センタ装置から前記ソフトウェア識別子および当該ソフトウェア識別子により特定されるソフトウェア実体に対応する前記パーミッション情報を取得するための識別情報取得手段と、
前記センタ装置から取得した前記パーミッション情報のみに従って前記ソフトウェア実体の実行権限を設定するための実行権限設定手段と、
デバイス管理ソフトウェアにより登録されるデバイスオブジェクトからデバイスカテゴリ情報を取得するためのデバイスカテゴリ情報取得手段と、
前記ドライバロケータソフトウェアに前記デバイスカテゴリ情報を与えて前記ドライバ識別子を応答させるためのドライバ識別子取得手段と、
前記ドライバロケータソフトウェアに前記ドライバ識別子を与えて前記デバイスオブジェクトと連携動作する前記ドライバソフトウェア実体を取得させるためのドライバソフトウェア実体取得手段と、
前記ドライバ識別子をキーに前記センタ装置より取得した前記パーミッション情報の前記ソフトウェア識別子を検索してソフトウェア識別子を一意に特定する手段と、
前記ドライバソフトウェア実体を検索により特定した前記ソフトウェア識別子に対応するものとしてインストールおよび起動する起動手段と、
を有する前記ホームゲートウェイと、
を備えることを特徴とするホームゲートウェイソフトウェアパーミッション管理システム。
【請求項４】
サービスプロバイダが提供する複数のソフトウェア実体を同一のホームゲートウェイに相乗りさせて同時運用するためのホームゲートウェイソフトウェアパーミッション管理システムにおいて、
前記ソフトウェア実体を特定するためのソフトウェア識別子と、前記ホームゲートウェイ上で稼働する前記ソフトウェア実体に付与される実行権限を表すためのパーミッション情報、または、前記ソフトウェア実体が提供する機能の実行権限をあらわすために該ソフトウェア実体が自身で定義する独自定義パーミッション情報と、を対応づけて登録するためのパーミッション情報登録手段と、
ソフトウェア識別子と当該ソフトウェア識別子により特定されるソフトウェア実体に対応する前記パーミッション情報と前記独自定義パーミッション情報を前記ホームゲートウェイへ伝達するためのパーミッション情報伝達手段と、
を有するセンタ装置と、
前記ソフトウェア識別子と前記パーミッション情報と前記独自定義パーミッション情報を前記センタ装置より取得するためのパーミッション情報取得手段と、
前記センタ装置から取得した前記パーミッション情報および前記独自定義パーミッション情報のみに従って前記ソフトウェア実体の実行権限を設定するための実行権限設定手段と、
前記ソフトウェア実体が他のソフトウェア実体を利用する際において、該ソフトウェア実体が前記独自定義パーミッションを持っているか否かの確認の問合せに応答するためのパーミッション確認応答手段と、
を有する前記ホームゲートウェイと、
を備えることを特徴とするホームゲートウェイソフトウェアパーミッション管理システム。
【請求項５】
前記独自定義パーミッション情報と、該独自定義パーミッション情報の設定制御を許可する前記ソフトウェア実体を特定するパーミッション設定ソフトウェア識別子の対応情報と、を共に登録するための対応情報登録手段と、
前記独自定義パーミッション情報と前記対応情報を前記ホームゲートウェイに伝達するための対応情報伝達手段と、
を有するセンタ装置と、
前記対応情報を前記センタ装置より取得するための対応情報取得手段と、
前記独自定義パーミッションの付与および没収の設定を他のソフトウェア実体に対して行う依頼としてパーミッションを設定する対象の前記ソフトウェア実体を特定するソフトウェア識別子と、および独自定義パーミッションの情報を伴う独自定義パーミッション設定依頼と、を前記ソフトウェア実体から受け付けるための設定依頼受け取り手段と、
前記独自定義パーミッションの設定依頼をした前記ソフトウェア実体の前記ソフトウェア識別子と、および前記独自定義パーミッションの設定依頼で指示されたパーミッション情報と、の組に対し、前記センタ装置から取得した前記独自定義パーミッション情報と、および前記パーミッション設定ソフトウェア識別子と、の対応情報に該当するものがあるか否かを判断するための対応判断手段と、
前記対応判断手段において該当するものがあると判断された場合にのみ前記独自定義パーミッション設定依頼にて設定対象として前記ソフトウェア識別子で指定されたソフトウェア実体に対し、前記設定依頼された前記独自定義パーミッションの付与もしくは没収の設定を行うための付与没収手段と、
を有する前記ホームゲートウェイと、
を備えることを特徴とする請求項４に記載のホームゲートウェイソフトウェアパーミッション管理システム。
【発明の詳細な説明】
【技術分野】
【０００１】
本発明は同一のホームゲートウェイに、サービスプロバイダが提供するソフトウェアを相乗りさせて同時運用するホームゲートウェイ管理システムに関し、相乗りして動作するソフトウェア実体の実行権限を、センタ装置から、一元的に制御することにより、各ソフトウェア実体の実装上のミスあるいは悪意をもった実装により、他のソフトウェア実体に割り当てられているシステムリソースや、他のソフトウェア実体へのアクセスを遮断し、適正にセパレートして運用することのできるホームゲートウェイソフトウェアパーミッション管理システムに関する。
【背景技術】
【０００２】
従来のホームゲートウェイ管理システムの一例が、特開２００３−２７１４８０に記載されている。図１１に示すように、この従来のホームゲートウェイ管理システムは、多数のホームゲートウェイ１００とゲートウェイ管理サーバ１０１との間で前記伝送情報を仲介する仲介サーバ１０２を設け、ホームネットワーク上の家電デバイス１０５、１０６に必要な情報の伝送をゲートウェイ管理サーバ１０１と仲介サーバ１０２とで分担する構成となっている。
【０００３】
この構成を有する従来のホームゲートウェイ管理システムでは、ホームネットワーク上の家電に必要な情報の所在位置を、典型的にはＵＲＬの形式で、ホームゲートウェイ１００に伝え、ホームゲートウェイ１００は、ＵＲＬで指定された仲介サーバ１０２から、ホームネットワーク上の家電デバイス１０５、１０６に必要な情報を取得する動作（Ｓ１〜４）をする（特許文献１参照）。
【特許文献１】特開２００３−２７１４８０
【発明の開示】
【発明が解決しようとする課題】
【０００４】
ソフトウェアの実行環境を提供するホームゲートウェイにおいて、従来のホームゲートウェイ管理システムが扱う、「家電に必要な情報」としては、様々なものが考えられるが、高度なものとして、家電に必要な情報を内包したソフトウェア実体があげられる。
【０００５】
このソフトウェア実体がダウンロード、インストール、起動される時、このソフトウェア実体は、ホームゲートウェイ上のソフトウェア実行環境から、ストレージ領域などのリソースが配布され、それらのリソースを活用して家電デバイスの制御を行う。
【０００６】
しかし、複数の家電ベンダが作成したそれぞれのソフトウェア実体が同一のホームゲートウェイ上で相乗りしてサービスを提供する環境において、各ソフトウェア実体に割り当てられたリソースは、それぞれのソフトウェアが管理する他のベンダには、参照されたくない情報が存在する。
【０００７】
また異なるベンダのソフトウェア実体が提供する機能が、許可なく他のベンダのソフトウェア実体から利用されることによって、参照されたくない情報が、別ベンダへ流出するおそれもある。
【０００８】
またホームゲートウェイの持ち主である、エンドユーザ側も、そのサービス実体が実行されることによって、そのサービスの提供を受けるために必要な情報以外の個人情報を、不正にソフトウェア実体に読み出されるおそれもある。特に各ベンダのサービスが相乗りする環境においては、各ベンダに対してそのベンダのサービスを受けるために提示する必要のある個人情報は異なるため、結果として、それらの情報を全てあわせた和集合が、情報漏えいの危険にさらされることになる。
【０００９】
また、不正な情報引き出しに限らず、リソースを制限なく浪費することにより、ソフトウェアの実行環境そのものに、ダメージをあたえるおそれもあった。
【００１０】
複数の家電ベンダが作成したそれぞれのソフトウェア実体が同一のホームゲートウェイ上で相乗りしてサービスを提供する環境において、ある不正なソフトウェアのソフトウェア実行環境にダメージを与える動作は、他の正規のソフトウェアの動作を妨害することになる。
【００１１】
従来のホームゲートウェイ管理システムは、各ソフトウェア実体がホームゲートウェイのソフトウェア実行環境上で動作する際に、動作上の実行権限に制限を課す「パーミッション情報」をセンタ装置からの指示で設定する手段がない。
【００１２】
したがって、前述した問題を回避するために、ホームゲートウェイに適切なパーミッションは、エンドユーザが自ら手動で行わなければならなかった。
【００１３】
また、どのようなパーミッション設定にすればよいかは、高度な専門情報が必要な場合が多く、パーミッションの設定ミスが多く、発生していた。
【００１４】
なお、個々のベンダから専門の作業者を派遣してエンドユーザ宅のホームゲートウェイ上で、そのベンダが製作したソフトウェアパーミッション設定させる運用形態は、そもそも、ネットワーク経由でソフトウェア実体をダウンロードしていることに意味がなくなり、各ユーザの宅を訪問する手間もかかるという問題がある。
【００１５】
そして、特には、同一のホームゲートウェイ上に異なるベンダのソフトウェアを相乗りさせる形態の場合、自己、他者問わずにソフトウェアのパーミッションを不正に設定したり、他のベンダの管理情報をホームゲートウェイから直接閲覧される可能性があるため、望ましいことではない。
【００１６】
同一のホームゲートウェイ上に異なるベンダのソフトウェアを相乗りさせる形態においては、パーミッションの設定は、各ベンダから信頼を得ている共通の運営体により行われることが望ましい。
【００１７】
更に、ホームゲートウェイ上のソフトウェア実行環境で実行される、ソフトウェア実体のダウンロードおよびインストールおよび起動は、必ずしも、センタの指示で行われるとはかぎらず、エンドユーザが、そのサービスを受ける必要が出たときに、一時的にそのソフトウェア実体を、入手インストールして実行する場合もあった。あるいは、コアとなるソフトウェアが、必要となった時に、オプショナルなソフトウェアを一時的にインストールして稼働させる場合もあった。
【００１８】
これらの場合においては、センタの指示に基づいて、仲介サーバ経由でソフトウェア実体のダウンロード、インストールが行われることを前提においている従来のシステム構成では、対応できなかった。
【００１９】
本発明は、上述の課題を鑑みてなされたものであり、その目的は、ホームゲートウェイ上で稼働するソフトウェア実体に付与するパーミッションをセンタから遠隔設定可能にし、同一のホームゲートウェイに相乗りした複数のソフトウェア実体のそれぞれが管理する情報がソフトウェア実体同士で互いに引き出されることを防止することにある。
【課題を解決するための手段】
【００２３】
請求項１に記載の本発明は、サービスプロバイダが提供する複数のソフトウェア実体を同一のホームゲートウェイに相乗りさせて同時運用するためのホームゲートウェイソフトウェアパーミッション管理システムにおいて、前記ソフトウェア実体を特定するためのソフトウェア識別子と前記ホームゲートウェイ上で稼働する前記ソフトウェア実体に付与される実行権限となるパーミッション情報とを前記ソフトウェア実体に対応づけて登録するためのパーミッション情報登録手段と、前記ソフトウェア識別子および当該ソフトウェア識別子により特定されるソフトウェア実体に対応する前記パーミッション情報を前記ホームゲートウェイへ伝達するための識別情報伝達手段と、を有するセンタ装置と、前記センタ装置から前記ソフトウェア識別子および当該ソフトウェア識別子により特定されるソフトウェア実体に対応する前記パーミッション情報を取得するための識別情報取得手段と、前記センタ装置から取得した前記パーミッション情報のみに従って前記ソフトウェア実体の実行権限を設定するための実行権限設定手段と、前記ソフトウェア実体と前記ソフトウェア識別子と前記センタ装置の運営主体が許可しているパーミッション情報を組にして非可分にパッケージ化されたパッケージ化ソフトウェアが前記ホームゲートウェイにインストールされたことを検出するためのインストール検出手段と、インストールされた前記パッケージ化ソフトウェアから前記ソフトウェア識別子を取得するための識別子取得手段と、前記パッケージ化ソフトウェアから前記センタ装置の運営主体が許可した前記パーミッション情報を取り出すためのパーミッション情報取り出し手段と、前記ソフトウェア識別子に対応する前記センタ装置から取得した前記パーミッション情報によるパーミッション設定が存在するか否かを確認するためのパーミッション情報確認手段と、前記センタ装置から取得した前記パーミッション情報によるパーミッション設定が存在しない場合において、前記パッケージ化ソフトウェアから取り出した前記パーミッション情報にもとづいてパーミッション設定を行うための設定手段と、前記センタ装置から取得した前記パーミッション情報による前記パーミッション設定の存在の確認または前記パッケージ化ソフトウェアから取り出した前記パーミッション情報によるパーミッション設定が完了するまでの間においてインストールされた前記パッケージ化ソフトウェアの起動を抑制するための起動抑制手段と、を有するホームゲートウェイと、を備える。
【００２５】
また、請求項２に記載の本発明は、サービスプロバイダが提供する複数のソフトウェア実体を同一のホームゲートウェイに相乗りさせて同時運用するためのホームゲートウェイソフトウェアパーミッション管理システムにおいて、当該ホームゲートウェイには、デバイスオブジェクトを当該デバイスオブジェクトの属性情報をあらわすデバイスカテゴリ情報と共に登録するためのデバイス管理ソフトウェアと、前記デバイスオブジェクトに適合するドライバソフトウェア実体のドライバ識別子を前記デバイスカテゴリ情報に基づいて特定し、前記ドライバ識別子を伴うドライバソフトウェア要求に対応して前記ドライバソフトウェア実体を取得するためのドライバロケータソフトウェアと、がインストールされており、前記ドライバロケータソフトウェアに不可分にパッケージ化されるプレフィックス識別子と、前記プレフィックス識別子と前記ドライバロケータソフトウェアに体系付けられたドライバ識別子との組み合わせからなるソフトウェア識別子と、前記ホームゲートウェイ上で稼働する前記ドライバソフトウェア実体に付与される実行権限となるパーミッション情報と、を前記ドライバソフトウェア実体に対応づけて登録するためのパーミッション情報登録手段と、前記ソフトウェア識別子および当該ソフトウェア識別子により特定されるソフトウェア実体に対応する前記パーミッション情報を前記ホームゲートウェイへ伝達するための識別情報伝達手段と、を有するセンタ装置と、前記センタ装置から前記ソフトウェア識別子および当該ソフトウェア識別子により特定されるソフトウェア実体に対応する前記パーミッション情報を取得するための識別情報取得手段と、前記センタ装置から取得した前記パーミッション情報のみに従って前記ソフトウェア実体の実行権限を設定するための実行権限設定手段と、前記デバイス管理ソフトウェアにより登録される前記デバイスオブジェクトから前記デバイスカテゴリ情報を取得するためのデバイスカテゴリ情報取得手段と、前記ドライバロケータソフトウェアに前記デバイスカテゴリ情報を与えて前記ドライバ識別子を応答させるためのドライバ識別子応答手段と、前記ドライバロケータソフトウェアに前記ドライバ識別子を与えて前記デバイスオブジェクトと連携動作する前記ドライバソフトウェア実体を取得させるためのドライバソフトウェア実体取得手段と、前記ドライバロケータソフトウェアから前記ドライバロケータソフトウェアに不可分にパッケージ化された前記プレフィックス識別子を取得するためのプレフィックス識別子取得手段と、前記プレフィックス識別子と前記ドライバ識別子から前記ソフトウェア識別子を生成するためのソフトウェア識別子生成手段と、前記ドライバソフトウェア実体を生成した前記ソフトウェア識別子に対応するものとしてインストールおよび起動する起動手段と、を有する前記ホームゲートウェイと、を備える。
【００２６】
また、請求項３に記載の本発明は、サービスプロバイダが提供する複数のソフトウェア実体を同一のホームゲートウェイに相乗りさせて同時運用するためのホームゲートウェイソフトウェアパーミッション管理システムにおいて、当該ホームゲートウェイには、デバイスオブジェクトを当該デバイスオブジェクトの属性情報をあらわすデバイスカテゴリ情報と共に登録するためのデバイス管理ソフトウェアと、前記デバイスオブジェクトに適合するドライバソフトウェア実体のドライバ識別子を前記デバイスカテゴリ情報に基づいて特定し、前記ドライバ識別子を伴うドライバソフトウェア要求に対応して前記ドライバソフトウェア実体を取得するためのドライバロケータソフトウェアと、がインストールされており、ドライバソフトウェア実体を定めるドライバ識別子をキーにして一意にソフトウェア識別子を検索可能なように体系付けられたドライバソフトウェアのソフトウェア識別子と、前記ホームゲートウェイ上で稼働しドライバロケータソフトウェアが取得する前記ドライバソフトウェア実体に付与される実行権限となるパーミッション情報を前記ドライバソフトウェア実体に対応づけて登録するためのパーミッション情報登録手段と、前記ソフトウェア識別子および当該ソフトウェア識別子により特定されるソフトウェア実体に対応する前記パーミッション情報を前記ホームゲートウェイへ伝達するための識別情報伝達手段と、を有するセンタ装置と、前記センタ装置から前記ソフトウェア識別子および当該ソフトウェア識別子により特定されるソフトウェア実体に対応する前記パーミッション情報を取得するための識別情報取得手段と、前記センタ装置から取得した前記パーミッション情報のみに従って前記ソフトウェア実体の実行権限を設定するための実行権限設定手段と、デバイス管理ソフトウェアにより登録されるデバイスオブジェクトからデバイスカテゴリ情報を取得するためのデバイスカテゴリ情報取得手段と、前記ドライバロケータソフトウェアに前記デバイスカテゴリ情報を与えて前記ドライバ識別子を応答させるためのドライバ識別子取得手段と、前記ドライバロケータソフトウェアに前記ドライバ識別子を与えて前記デバイスオブジェクトと連携動作する前記ドライバソフトウェア実体を取得させるためのドライバソフトウェア実体取得手段と、前記ドライバ識別子をキーに前記センタ装置より取得した前記パーミッション情報の前記ソフトウェア識別子を検索してソフトウェア識別子を一意に特定する手段と、前記ドライバソフトウェア実体を検索により特定した前記ソフトウェア識別子に対応するものとしてインストールおよび起動する起動手段と、を有する前記ホームゲートウェイと、を備える。
【００２８】
また、請求項４に記載の本発明は、サービスプロバイダが提供する複数のソフトウェア実体を同一のホームゲートウェイに相乗りさせて同時運用するためのホームゲートウェイソフトウェアパーミッション管理システムにおいて、前記ソフトウェア実体を特定するためのソフトウェア識別子と、前記ホームゲートウェイ上で稼働する前記ソフトウェア実体に付与される実行権限を表すためのパーミッション情報、または、前記ソフトウェア実体が提供する機能の実行権限をあらわすために該ソフトウェア実体が自身で定義する独自定義パーミッション情報と、を対応づけて登録するためのパーミッション情報登録手段と、ソフトウェア識別子と当該ソフトウェア識別子により特定されるソフトウェア実体に対応する前記パーミッション情報と前記独自定義パーミッション情報を前記ホームゲートウェイへ伝達するためのパーミッション情報伝達手段と、を有するセンタ装置と、前記ソフトウェア識別子と前記パーミッション情報と前記独自定義パーミッション情報を前記センタ装置より取得するためのパーミッション情報取得手段と、前記センタ装置から取得した前記パーミッション情報および前記独自定義パーミッション情報のみに従って前記ソフトウェア実体の実行権限を設定するための実行権限設定手段と、前記ソフトウェア実体が他のソフトウェア実体を利用する際において、該ソフトウェア実体が前記独自定義パーミッションを持っているか否かの確認の問合せに応答するためのパーミッション確認応答手段と、を有する前記ホームゲートウェイと、を備える。
【００２９】
また、請求項５に記載の本発明は、請求項４において、前記独自定義パーミッション情報と、該独自定義パーミッション情報の設定制御を許可する前記ソフトウェア実体を特定するパーミッション設定ソフトウェア識別子の対応情報と、を共に登録するための対応情報登録手段と、前記独自定義パーミッション情報と前記対応情報を前記ホームゲートウェイに伝達するための対応情報伝達手段と、を有するセンタ装置と、前記対応情報を前記センタ装置より取得するための対応情報取得手段と、前記独自定義パーミッションの付与および没収の設定を他のソフトウェア実体に対して行う依頼としてパーミッションを設定する対象の前記ソフトウェア実体を特定するソフトウェア識別子と、および独自定義パーミッションの情報を伴う独自定義パーミッション設定依頼と、を前記ソフトウェア実体から受け付けるための設定依頼受け取り手段と、前記独自定義パーミッションの設定依頼をした前記ソフトウェア実体の前記ソフトウェア識別子と、および前記独自定義パーミッションの設定依頼で指示されたパーミッション情報と、の組に対し、前記センタ装置から取得した前記独自定義パーミッション情報と、および前記パーミッション設定ソフトウェア識別子と、の対応情報に該当するものがあるか否かを判断するための対応判断手段と、前記対応判断手段において該当するものがあると判断された場合にのみ前記独自定義パーミッション設定依頼にて設定対象として前記ソフトウェア識別子で指定されたソフトウェア実体に対し、前記設定依頼された前記独自定義パーミッションの付与もしくは没収の設定を行うための付与没収手段と、を有する前記ホームゲートウェイと、を備える。
【発明の効果】
【００３０】
本発明によれば、ホームゲートウェイ上で稼働するソフトウェア実体に付与するパーミッションをセンタから遠隔設定可能にし、同一のホームゲートウェイに相乗りした複数のソフトウェア実体のそれぞれが管理する情報がソフトウェア実体同士で互いに引き出されることを防止することができる。
【発明を実施するための最良の形態】
【００３１】
＜第１の実施の形態＞
図１は、第１の実施の形態を説明する構成図である。
【００３２】
第１の実施の形態によるホームゲートウェイソフトウェアパーミッション管理システムは、ソフトウェア実体６、６’を特定するための図示しないソフトウェア識別子が設定され、ホームゲートウェイ１上で稼働する際にそのソフトウェア実体６、６’に付与すべき実行権限を表すパーミッション情報を対応づけて登録するためのパーミッション情報登録手段と、ソフトウェア識別子とそれに対応するパーミッション情報をホームゲートウェイ１に伝達する手段を持つセンタ装置２と、ソフトウェア識別子とパーミッション情報をセンタ装置２より取得するための識別情報取得手段と、センタ装置２から取得した該パーミッション情報のみに従ってソフトウェア実体６、６’の実行権限を設定するための実行権限設定手段と、を持つホームゲートウェイ１を備える。
【００３３】
まず、ソフトウェア識別子と、そのソフトウェア識別子に対応するソフトウェア実体６、６’が、ホームゲートウェイ１上で動作する際に与えられるべきパーミッションの組が、対応づけられてセンタ装置２内のＡＣＬ（アクセスコントロールリスト）４に登録される。
【００３４】
登録されたソフトウェア識別子とパーミッション情報は、センタ装置２からホームゲートウェイ１へ向けて送信される。
【００３５】
ホームゲートウェイ１側は、ソフトウェア識別子とパーミッション情報を取得したら、そのソフトウェア識別子に対するソフトウェア実体６、６’が動作する際に、そのソフトウェア実体６、６’がそのパーミッション権限で動作するようにＡＣＬ３の設定を行う。ＯＳＧｉ（Open Service Gateway Initiative）の環境下では、指定されたＵＲＬに対してパーミッション情報を付与することができ、そのＵＲＬからダウンロードされたソフトウェア実体６、６’は、以後、設定されたパーミッションで動作させることができる。
【００３６】
従って、ＯＳＧｉの活用を前提とするならば、センタ装置２からパーミッション情報を送り込み、ＯＳＧｉが提供するパーミッション設定機能を活用することにより、第１の実施の形態を実施することができる。なお、図１中にはＯＳＧｉに則った権限設定管理手段として、権限設定管理５、９が説明のために示されている。
【００３７】
ここで、センタ装置２から送り込まれたパーミッション情報を設定する時点で、ソフトウェア識別子に対応するソフトウェア実体６、６’は、まだ、ホームゲートウェイ１上にインストールされていなくてもよい。
【００３８】
あるソフトウェア識別子に対応づけてパーミッション情報を設定したあと、そのソフトウェア識別子に対応するソフトウェア実体６、６’が、ダウンロード、インストール、起動されると、事前に設定されたパーミッション設定に従って、そのソフトウェア実体６、６’は実行される。
【００３９】
ソフトウェア実体６、６’の動作はホームゲートウェイ１内の実行環境１０において行われ、ここでリソース７、７’をそれぞれ確保している。ソフトウェア実体６、６’を実行することにより制御されるのはホームゲートウェイ１に接続された家電デバイス８、８’である。
【００４０】
また、ソフトウェア実体６、６’の動作に、後々、不具合があり、付与するパーミッションを変更する必要が生じた場合、センタ装置２は、直ちに、ソフトウェア識別子と新たなパーミッションを、ホームゲートウェイ１に送り込み、ホームゲートウェイ１側で、アクセスコントロールリストへ新たなパーミッションが書き込まれるとそれ以降、新たなパーミッション設定に従って、そのソフトウェア実体６、６’を稼働させることができる。
【００４１】
これは、パーミッション情報がソフトウェア識別子と対応づけて管理し、いつでもセンタ装置２側から、ソフトウェア識別子を指定して、ホームゲートウェイ１上のソフトウェア実体６、６’の、パーミッション設定を変更できる構成としていることにより生じる効果である。
【００４２】
のちのちの状況変化により、パーミッションをセンタ装置２側の制御により、随時変更することが可能なため、例えばセキュリティ上の不具合が発見された、ソフトウエア実体に対して、ホームゲートウェイ１上のリソース７、７’にアクセスする権限を奪うことにより、情報漏洩リスクを最小限に抑えることができる効果がある。新たなパーミッション設定には、以前には与えていたパーミッション設定を取り消し、抹消することも含まれる。
【００４３】
ソフトウェア識別子に対応づけられてセンタ装置２に登録されるパーミッション情報は、インストールされている、あるいはインストールされる予定である、あるいはインストールされる可能性があるソフトウェア実体６、６’に対し、そのソフトウェア実体６、６’の動作内容を吟味して、そのソフトウェア実体６、６’が、ホームゲートウェイ１上でサービス機能を提供するにあたって、どのような権限が必要があるかを見極め、必要最小限のパーミッション設定内容が、ホームゲートウェイソフトウェアパーミッション管理システムの利用者によって決定され、センタ装置２に登録されることを想定している。
【００４４】
「センタ装置２からホームゲートウェイ１に伝達する手段」は、通信途中で改竄されないよう、またセンタ装置２からの送信であると成りすましされることのないよう配慮されることが必要である。
【００４５】
改竄や、成りすましをされると、本物のセンタ装置２が指示したパーミッション設定とはことなる、パーミッション情報に基づいて、ホームゲートウェイ１側で、ソフトウェア実体６、６’の実行権限を設定させられるおそれがあり、そのような不正が起こりうる環境においては、「センタ装置２から取得したパーミッション情報のみに従ってソフトウェア実体６、６’の実行権限を設定する手段」を実装することができないので注意が必要である。センタ装置２とホームゲートウェイ１間の通信において、改竄や、成りすましを防止することは、暗号通信を行うなど広く一般的な手法を用いることで実現できる。
【００４６】
ソフトウェア実体６、６’を特定するソフトウェア識別子として、例えばＯＳＧｉにおいては、そのソフトウェア実体６、６’の入手先ＵＲＬ文字列が利用される。
【００４７】
同じ内容のソフトウェア実体６、６’ならば、その入手先が異なっても、同一のソフトウェア識別子が付与されることが、「識別子」の役割としてはふさわしいが、この制約に縛られる必要はなく、全く同じ内容のソフトウェア実体６、６’でも、その入手先ＵＲＬが異なる場合に、異なるソフトウェア識別子としてそれぞれの入手先ＵＲＬを付与してもかまわない。
【００４８】
ＵＲＬをソフトウェア識別子として用いると、ソフトウェア実体６、６’の格納場所を決めた時点で、ソフトウェア識別子が即定まることになり、ソフトウェア実体６、６’と、ソフトウェア識別子の対応の管理を簡素化することができるメリットもある。
【００４９】
センタ装置２からパーミッション情報を、ホームゲートウェイ１に伝達する手段は、センタ装置２側からホームゲートウェイ１にアクセスしてパーミッション情報を送り込む、プッシュ形態が典型的であるが、これに限る必要はない。
【００５０】
例えば、ホームゲートウェイ１側から、定期的にセンタ装置２へ繰り返しアクセスし、更新されたパーミッション情報の有無を調べ、更新されていたらパーミッション情報を取得する形態でもよい。プッシュ型にせよプル型にせよ、センタ装置２がゲートウェイへパーミッション情報を伝達する手段が確保されていればよい。
【００５１】
＜第２の実施の形態＞
図２は、第２の実施の形態を説明する構成図である。
【００５２】
この図２には、ソフトウェア実体を特定するためのソフトウェア識別子と、ホームゲートウェイを特定するためのホームゲートウェイ識別子と、ホームゲートウェイ識別子に対応するホームゲートウェイ上で稼働するソフトウェア実体に付与される実行権限となるパーミッション情報と、をソフトウェア実体に対応づけて登録するためのパーミッション情報登録手段と、ソフトウェア識別子およびそれに対応するパーミッション情報をホームゲートウェイ識別子に対応するホームゲートウェイへ伝達するための識別情報伝達手段と、を有するセンタ装置と、センタ装置からソフトウェア識別子およびそれに対応するパーミッション情報を取得するための識別情報取得手段と、センタ装置から取得したパーミッション情報のみに従ってソフトウェア実体の実行権限を設定するための実行権限設定手段と、を有するホームゲートウェイと、が示されている。
【００５３】
このような構成のセンタ装置２は、複数のホームゲートウェイ（１）１、ホームゲートウェイ（２）１’、ホームゲートウェイ（３）１’’を一括管理するが、一般に、各ホームゲートウェイ（１）〜（３）１、１’、１’’上にインストールされるソフトウェア実体１３〜１５の集合は各ホームゲートウェイ（１）〜（３）１、１’、１’’毎に異なり、よって各ホームゲートウェイ（１）〜（３）１、１’、１’’に送り込むソフトウェア識別子とパーミッション情報の内容は、各ホームゲートウェイ（１）〜（３）１、１’、１’’毎に異なる。
【００５４】
本第２の実施の形態のセンタ装置２は、第１の実施の形態に加えて、各ホームゲートウェイ（１）〜（３）１、１’、１’’に対応するホームゲートウェイ（１）〜（３）１、１’、１’’識別子と対応づけて、個々のホームゲートウェイ（１）〜（３）１、１’、１’’毎に、ソフトウェア識別子と設定すべきパーミッション情報を登録し、各ホームゲートウェイ（１）〜（３）１、１’、１’’に対しては、そのホームゲートウェイ（１）〜（３）１、１’、１’’識別子に対応づけて、登録されたソフトウェア識別子とパーミッション情報を伝達する。
【００５５】
各ホームゲートウェイ（１）〜（３）１、１’、１’’識別子およびソフトウェア識別子に対応付けられて登録されるパーミッション情報は、各ホームゲートウェイ（１）〜（３）１、１’、１’’ごとに、インストールされている、あるいはインストールされる予定である、あるいはインストールされる可能性があるソフトウェア実体１３〜１５に対し、必要最小限のパーミッションが、ホームゲートウェイソフトウェアパーミッション管理システムの利用者によって内容が決定され、センタ装置２に登録されることを想定している。ソフトウェア識別子と、そのソフトウェア識別子に対応するそれぞれのソフトウェア実体１３〜１５が、ホームゲートウェイ（１）〜（３）１、１’、１’’上で動作する際に与えられるべきパーミッションの組が、対応づけられてセンタ装置２内のＡＣＬ（アクセスコントロールリスト）４内のホームゲートウェイ（１）〜（３）に対するＡＣＬ１１〜１１’’それぞれに登録される。
【００５６】
このような構成にすることにより、各ホームゲートウェイ（１）〜（３）１、１’、１’’毎に、インストールされているソフトウェアの内容が異なる運用形態においても、それぞれの実行環境１０〜１０’’において個別のパーミッション管理を行うことができる効果が得られる。
【００５７】
例えば、各ゲートウェイの所有者であるエンドユーザと、サービスプロバイダの間でサービス提供に関わる契約が結ばれた時点で、ホームゲートウェイ（１）〜（３）１、１’、１’’にサービスソフトウェアの実体がいつインストールされ、起動されてもよいように、センタ装置２は、速やかに、契約を結んだ、エンドユーザのホームゲートウェイ（１）〜（３）１、１’、１’’に、パーミッション情報を送り込みパーミッション設定を行う運用をすることができる。
【００５８】
＜第３の実施の形態＞
図３は、第３の実施の形態を説明する構成図である。
【００５９】
第１の実施の形態に加えて、ソフトウェア実体を格納し要求に応じて配布するためのソフトウェア配布サーバと、ソフトウェア配布サーバに格納されているソフトウェア実体を特定するためのソフトウェア識別子と、ホームゲートウェイ上で稼働するソフトウェア実体に付与される実行権限となるパーミッション情報と、をソフトウェア実体に対応づけて登録するためのパーミッション情報登録手段と、ソフトウェア識別子およびそれに対応するパーミッション情報をホームゲートウェイへ伝達するための識別情報伝達手段と、を有するセンタ装置と、ソフトウェア実体とソフトウェア識別子を対応付けて格納するためのソフトウェア情報格納手段と、ソフトウェア識別子が指定されたソフトウェア実体がホームゲートウェイから要求されることを受け付けるためのソフトウェア要求受付手段と、ソフトウェア識別子で指定されたソフトウェア実体をホームゲートウェイからの要求に応答するための要求応答手段を備えたソフトウェア配布サーバと、センタ装置からソフトウェア識別子およびそれに対応するパーミッション情報を取得するための識別情報取得手段と、センタ装置から取得したパーミッション情報のみに従ってソフトウェア実体の実行権限を設定するための実行権限設定手段と、ソフトウェア識別子で特定されるソフトウェア実体をソフトウェア配布サーバへ要求して取得するためのソフトウェア取得手段と、取得したソフトウェア実体をホームゲートウェイにインストールするためのインストール手段と、インストールしたソフトウェア実体をホームゲートウェイ上で起動するためのソフトウェア起動手段と、を有するホームゲートウェイと、を備える。
【００６０】
まず、ソフトウェア実体２１とソフトウェア識別子をソフトウェア配布サーバにあらかじめ格納する。
【００６１】
次に、ソフトウェア識別子と、そのソフトウェア識別子に対応するソフトウェア実体２１が、ホームゲートウェイ１上で動作する際に与えられるべきパーミッションの組が、対応づけられてセンタ装置２に登録される。
【００６２】
登録されたソフトウェア識別子とパーミッション情報は、センタ装置２からホームゲートウェイ１へ向けて送信される。ホームゲートウェイ１側は、ソフトウェア識別子とパーミッション情報を取得したら、そのソフトウェア識別子に対するソフトウェア実体２１が動作する際に、そのソフトウェア実体２１がそのパーミッション権限で動作するようにＡＣＬ３の設定を行う。更に、ホームゲートウェイ１は、パーミッション設定の完了したソフトウェア識別子を指定して、ソフトウェア配布サーバ２０に対して、ソフトウェア実体２１を要求をする。
【００６３】
ソフトウェア配布サーバは、ソフトウェア実体２１要求を受け付けると、指定されたソフトウェア識別子に対応するソフトウェア実体２１をホームゲートウェイ１へ応答送信する。ホームゲートウェイ１は、ソフトウェア実体２１をソフトウェア配布サーバから取得すると、そのソフトウェアをインストールしたのち実行環境１０にて起動する。
【００６４】
この構成により、センタ装置２からソフトウェア識別子とパーミッション情報を送り込み、そのパーミッションの設定が確実に完了したあとに、ソフトウェア実体２１が稼働することになり、パーミッション設定を行わないままに、ソフトウェア実体２１が稼働することにより、本来、パーミッションを制限するはずだった、ソフトウェア実体２１が、制限を受けないままに稼働することにより、他のベンダが提供するソフトウェア実体２１が管理するリソースにアクセスすることにより、情報が流出するおそれはなくなる。
【００６５】
この構成は、ソフトウェアを、センタ装置２の指示に基づいてダウンロードすることよりも、パーミッションの設定が完了したあとに、ソフトウェアが稼働することを確実ならしめることを主目的としている。
【００６６】
ソフトウェア実体２１に何らのパーミッションの設定をすることなく、ソフトウェア実体２１を起動した際に、そのソフトウェア実体２１が、どのようなデフォルト権限を取得するかは、ソフトウェア実体２１の実行環境１０による。特に、ＯＳＧｉにおいては、パーミッションの設定を全く行わないままに、ソフトウェア実体２１（バンドル）を起動すると、全権限を与えた状態で、ソフトウェア実体２１が稼働する場合もあるため、そのような環境において、本第３の実施の形態の構成は、特に効果がある。
【００６７】
パーミッション設定を全く設定せずソフトウェア実体２１を起動しても全権限とならないソフトウェア実行環境１０においても、必要最小限の権限を越えた強い権限を与えたまま、ソフトウェア実体２１が稼働する事態の発生を避けることができという効果がある。
【００６８】
また、本来パーミッションを与えるべきでなかったものにパーミッションが与えられるケースとは逆に、本来、パーミッションを与えるべきであったのに、パーミッションを与えられないで、ソフトウェア実体２１が稼働すると、そのソフトウェア実体２１は、正常にサービス機能を提供できなくなる。本第３の実施の形態は、意図したパーミッションの設定が完了してから、ソフトウェア実体２１が稼働することを保障する構成であり、この面でも効果がある。
【００６９】
なお、本第３の実施の形態において、センタ装置２自体は、特にソフトウェア実体２１そのものを取り扱うことは必須ではない。例えば、Ｗｅｂサーバをソフトウェア配布サーバとして設置し、そのソフトウェア配布サーバに直接ＣＤ−ＲＯＭを持ち込みソフトウェア実体２１を登録する運営形態でもよい。多くの場合、そのソフトウェア実体２１がホームゲートウェイ１上で稼働する際に、どのようなパーミッションを付与すべきかは、そのソフトウェア実体２１の内容をよく把握して、その上で、センタ装置２の管理主体へ、パーミッションの設定を依頼する運用形態が典型的である。
【００７０】
もちろん、センタ装置２がソフトウェア実体２１も扱い、ソフトウェア配布サーバを仲介者として、ホームゲートウェイ１へソフトウェア実体２１を送り込む構成をとっても構わないが、それは本第３の実施の形態の必須事項ではない。
【００７１】
ソフトウェア配布サーバへソフトウェア実体２１を登録する際に、ソフトウェア識別子を付与し、ソフトウェア実体２１とソフトウェア識別子を対応づけて登録するが、Ｗｅｂサーバをソフトウェア配布サーバとして設置し、そのＷｅｂサーバにソフトウェア実体２１を格納した位置に対応するＵＲＬをソフトウェア識別子として代用する場合は、ソフトウェア実体２１をどの位置に格納するかによりＵＲＬが即定まるため、ソフトウェア識別子がすぐに定まる。その場合、ソフトウェア実体２１の格納位置を定めることがソフトウェア識別子を定めてソフトウェア実体２１を対応づけることに相当し、この形態も、本第３の実施の形態が、必須事項としてあげている、「ソフトウェア実体２１とソフトウェア識別子を対応づけて登録する」ことに相当するものとみなせる。
【００７２】
＜第４の実施の形態＞
図４は、第４の実施の形態を説明する構成図である。
【００７３】
この図４には、ソフトウェア実体を特定するためのソフトウェア識別子と、ホームゲートウェイ上で稼働するソフトウェア実体に付与される実行権限となるパーミッション情報をソフトウェア実体に対応づけて登録するためのパーミッション情報登録手段と、ソフトウェア識別子およびそれに対応するパーミッション情報をホームゲートウェイへ伝達するための識別情報伝達手段と、を有するセンタ装置と、センタ装置からソフトウェア識別子およびそれに対応するパーミッション情報を取得するための識別情報取得手段と、センタ装置から取得したパーミッション情報のみに従ってソフトウェア実体の実行権限を設定するための実行権限設定手段と、を有するホームゲートウェイと、ソフトウェア実体とソフトウェア識別子を組にして非可分にパッケージ化されたパッケージ化ソフトウェアがホームゲートウェイにインストールされたことを検出するためのインストール検出手段と、インストールされたパッケージ化ソフトウェアからソフトウェア識別子を取得するための識別子取得手段と、ソフトウェア識別子に対応するパーミッション情報の設定が存在するか否かを確認するためのパーミッション情報確認手段と、パーミッション情報確認手段による設定の存在確認が完了するまでの間においてインストールされたパッケージ化ソフトウェアの起動を抑制するための起動抑制手段と、パーミッション設定が存在しない場合にパッケージ化ソフトウェアのアンインストールの実行または実行権限を奪うためのソフトウェア処分手段と、を有するホームゲートウェイと、が示されている。
【００７４】
このような構成のゲートウェイ装置上にインストールするソフトウェア実体は、かならずしもソフトウェア配布サーバに登録する形態がとれるとは限らない。ただし、パーミッション情報は、各サービスプロバイダから供給されるソフトウェア実体の相互作用を横断的に把握するホームゲートウェイソフトウェアパーミッション管理システムの運用者によって、一元的に制御するものとする。
【００７５】
本第４の実施の形態では、ソフトウェア実体とソフトウェア識別子を不可分にパッケージ化されて、流通することを前提とする。ここで、「不可分」とは、パッケージ内のソフトウェア識別子のみを変更したり、ソフトウェア実体のみを変更することを防止するという意味である。
【００７６】
ソフトウェア実体とソフトウェア識別子が不可分にパッケージ化する方法は、例えば、それらのデータ全体のダイジェストを、信頼できる認証局の秘密鍵で暗号化した署名データをパッケージと共に合わせて提示し、改竄の有無をチェックする側で、署名データを、その信頼できる認証局の公開鍵で復号化したダイジェストが、あらためてチェック側で計算したダイジェストと一致するか否かで、改竄を検出する、広く一般に知られた電子署名の方法により実施できる。
【００７７】
センタ装置２側の動作、およびホームゲートウェイ１側で、ソフトウェア識別子とパーミッション情報をセンタ装置２から受信してアクセスコントロールリスト３に登録する動作は、第１の実施の形態と同じである。
【００７８】
本第４の実施の形態の、ホームゲートウェイ１の構成は、第１の実施の形態のホームゲートウェイ１の構成に加えて、ソフトウェア実体とソフトウェア識別子の組を非可分にパッケージ化されてリリースされたパッケージ化ソフトウェア２４、２４’が、インストールされたことを検出する手段と、インストールされたパッケージ化ソフトウェアからソフトウェア識別子を取得する手段と、ソフトウェア識別子に対応するパーミッションの設定が存在するか否かを確認する手段と、パーミッション設定の存在確認が済むまでインストールされたパッケージのソフトウェア実体の起動を抑制する手段と、パーミッション設定が存在しない時に該ソフトウェアのアンインストールまたは全ての権限を奪う手段とを備える。
【００７９】
ホームゲートウェイ１は、パッケージ化されたパッケージ化ソフトウェア２４がインストールされたことを検出すると、まず、そのパッケージからソフトウェア識別子を取得し、そのソフトウェア識別子とパーミッション情報の対応情報がアクセスコントロールリストに登録されているか否かをチェックする。該当するパーミッション情報が存在しなければ、ホームゲートウェイ１は、そのソフトウェア識別子に対応するパッケージ化ソフトウェア２４に対して、全てのパーミッション権限を奪い取る。何のパーミッション権限も持たないパッケージ化ソフトウェア２４は、ディスク領域を消費するだけの存在であるため、典型的には消去される。
【００８０】
あるいは、後々パーミッション情報がセンタ装置２から送り込まれそのソフトウェア識別子にパーミッション情報が確認されれば、そのパーミッション設定で、パッケージ化ソフトウェア２４が起動してもよいので、ディスク上に存続させる形態をとってもよい。ホームゲートウェイ１は、そのソフトウェア識別子のパーミッション情報の存在が確認されないかぎり、対応するパッケージ化ソフトウェア２４の起動を抑制する。
【００８１】
そのソフトウェア識別子に対応するパーミッション情報が確認されれば、ホームゲートウェイ１は、パッケージ化ソフトウェア２４の起動を妨げない。ホームゲートウェイ１の所有者であるエンドユーザの操作により起動されてもよいし、ホームゲートウェイ１上で稼働する別のパッケージ化ソフトウェア２４からの指示により、起動されてもよい。
【００８２】
本第４の実施の形態は、ソフトウェア識別子のパーミッション設定が確実に完了したあとに、そのソフトウェア識別子に対応するパッケージ化ソフトウェア２４が起動することを確実ならしめることを主目的とするものであり、そのパッケージ化ソフトウェア２４が、どのようなタイミングで起動するかについては自由である。
【００８３】
ソフトウェア識別子とパッケージ化ソフトウェア２４を非可分にパッケージ化したものを対象として、本第４の実施の形態の構成をとることにより、センタ装置２は、ソフトウェア識別子とパーミッション情報の設定処理のみに注力し、そのソフトウェア識別子に対応するパッケージ化ソフトウェア２４のインストールや起動の管理をホームゲートウェイ１上の、他のパッケージ化ソフトウェア２４や、そのパッケージ化ソフトウェア２４に対して、外部から通信路を介して指示を出す運営体、ホームゲートウェイ１の所有者であるエンドユーザなど、別の運営体に一任することができ、センタ装置２の側の管理負荷を軽減する効果をもたらす。
【００８４】
特にＯＳＧｉにおいては、ゲートウェイが存在するエンドユーザ宅のホームネットワーク上に、特定のデバイスが接続されたことを検出すると、そのデバイスを扱うための、パッケージ化ソフトウェア２４（デバイスドライバ）が、自動的にダウンロードされ、インストール、起動される仕組みをそなえている。デバイスは、エンドユーザが、めいめい別途購入して、ホームネットワーク上に設置するかもしれず、いつそのデバイスドライバのパッケージ化ソフトウェア２４が、ホームゲートウェイ１にインストールされるかはわからない。
【００８５】
センタ装置２側は、そのデバイスドライバのソフトウェア識別子と、そのデバイスドライバに付与すべきパーミッション情報をあらかじめホームゲートウェイ１に伝達し、ホームゲートウェイ１は、そのパーミッション情報にもとづいて、あらかじめそのソフトウェア識別子に対するパーミッション設定を済ませておくが、パッケージ化ソフトウェア２４が、いつインストールされ、実行されても、センタ装置２側は関知する必要はない。パッケージ化ソフトウェア２４は、ソフトウェア識別子に対するパーミッション情報と比して、メモリ、ディスク領域を多く占有するため、あらかじめ必要になる可能性のある全てのデバイスドライバをインストールして準備しておくことは現実的ではない。
【００８６】
しかし、本実施の形態の構成のように、ソフトウェア識別子とパーミッション情報のみならば、後々インストールされる可能性のあるパッケージ化ソフトウェア２４に対応するものを、あらかじめ全てホームゲートウェイ１へ送り込み設定をすませておくことは十分に現実的である。
【００８７】
＜第５の実施の形態＞
図５は、第５の実施の形態を説明する構成図である。
【００８８】
本第５の実施の形態は、ソフトウェア実体とソフトウェア識別子とパーミッション情報の３つ組が不可分にパッケージ化されて、流通することを前提とする。パーミッションについては、ソフトウェア識別子に対して、センタ装置２が、パッケージの作成に先立ち、そのソフトウェア実体のパーミッション設定として一度は認めた内容が格納されていることを前提とする。
【００８９】
図５には、ホームゲートウェイが、ソフトウェア実体と、ソフトウェア識別子と、センタ装置の運営主体が許可しているパーミッション情報と、を組み合わせて非可分にパッケージ化されたパッケージ化ソフトウェアがインストールされたことを検出するためのインストール検出手段と、パッケージ化ソフトウェアからセンタ装置の運営主体が許可したパーミッション情報を取り出すためのパーミッション情報取り出し手段と、センタ装置から取得したパーミッション情報によるパーミッション設定が存在しない場合において、パッケージ化ソフトウェアから取り出したパーミッション情報にもとづいて設定を行うための設定手段と、センタ装置からのパーミッション情報によるパーミッション設定の存在の確認と、およびパッケージ化ソフトウェアから取り出したパーミッション設定が完了するまでの間においてインストールされたパッケージ化ソフトウェアの起動を抑制するための起動抑制手段と、が示されている。
【００９０】
このような構成の第５の実施の形態において、センタ装置２側の動作、およびホームゲートウェイ１側で、ソフトウェア識別子とパーミッション情報をセンタ装置２のＡＣＬ４から受信してＡＣＬ３に登録する動作は、第４の実施の形態と同じである。
【００９１】
本第５の実施の形態のホームゲートウェイ１は、第４の実施の形態のホームゲートウェイ１の構成に加えて、３つ組が不可分にパッケージ化されたソフトウェアのインストールを検出する手段と、ソフトウェア識別子に対応するセンタ装置２から取得したパーミッション情報によるパーミッションの設定が存在するか否かを確認する手段と、３つ組のパッケージから、ソフトウェア識別子だけでなくパーミッション情報を取り出す手段と、センタ装置２から取得したパーミッション情報によるパーミッション設定がない場合は、パッケージ化ソフトウェアから取り出したパーミッション情報にもとづいて設定を行う手段と、センタ装置２から取得したパーミッション情報の存在の確認および、存在が確認できない場合のパッケージ化ソフトウェアから取り出したパーミッション情報にもとづくパーミッションの設定が完了するまで、インストールされたソフトウェア実体の起動を抑制する手段を備える。
【００９２】
本第５の実施の形態におけるホームゲートウェイ１は、ソフトウェア実体とソフトウェア識別子とパーミッション情報の３つ組が不可分にパッケージ化されたパッケージ化ソフトウェア２６のインストールを検出すると、そのパッケージ化ソフトウェア２６から、ソフトウェア識別子を取り出す。そして、取り出したソフトウェア識別子に対して、そのソフトウェア識別子に対応するセンタ装置２から送り込まれ取得したパーミッション情報にもとづくパーミッション設定が、ＡＣＬ３に既に登録されているか否かを調べる。
【００９３】
そのソフトウェア識別子に対応するパーミッション設定が既に存在するならば、既にパーミッション設定が有効になっているということなので、ソフトウェア実体を起動する。
【００９４】
一方、そのソフトウェア識別子に対応するセンタ装置２から取得したパーミッション情報が存在しなければ、パッケージ化ソフトウェア２６’から取り出したパーミッション情報を使って、パーミッションを設定する。
【００９５】
センタ装置２からすでにパーミッション情報がおくりこまれて、そのソフトウェア識別子に対するパーミッション設定が既に済んでいるか、あるいは、済んでいない場合に、パッケージから取り出したパーミッション情報にもとづくパーミッション設定が完了するまで、ホームゲートウェイ１は、そのソフトウェア識別子に対応するソフトウェア実体の起動を抑制する。
【００９６】
第４の実施の形態では、センタ装置２から送り込まれ取得したパーミッション情報にもとづくパーミッション設定が存在しない場合は、ソフトウェア実体には、なにもパーミッションを与えず、起動も許さないが、本第５の実施の形態においては、センタ装置２から送り込まれ取得したパーミッション情報にもとづくパーミッション設定が存在しない場合は、パッケージ内のパーミッション情報にもとづいてパーミッション設定を行う。
【００９７】
このような構成にすると、センタ装置２は、３つ組のパッケージ化時に、ソフトウェア実体を吟味して、適切なパーミッション設定であると認めたパーミッション情報に、その後変化がない場合は、そのあと、そのパッケージ化ソフトウェア２６をダウンロードして、インストール、起動するホームゲートウェイ１に、パーミッション情報を送り込む必要はなくなる。
【００９８】
対し、もしもソフトウェア実体の内容に、後々、セキュリティ上の不具合が発覚し、付与するパーミッションを変更する必要が生じた場合、センタ装置２は、ソフトウェア識別子と新たなパーミッションを、ホームゲートウェイ１に送り込み、変更されたパーミッション情報にもとづいてパーミッションの設定を行い、新たなパーミッション設定に従って、ソフトウェア識別子に対応するソフトウェア実体を稼働させることができる。
【００９９】
センタ装置２は、設定すべきパーミッション設定内容に変更の生じたソフトウェア実体に関わるパーミッション情報のみを管理し、ホームゲートウェイ１へ送り込むだけで済み、管理の手間を軽減させる効果をえられる。
【０１００】
なお、ソフトウェア実体の実行環境１０によっては、パーミッション設定内容を変更したあと、そのソフトウェア実体を再起動する必要がある場合がある。ソフトウェア実体が稼働する環境に即して、新たに設定したパーミッション情報が有効になるように必要な手段をこうじる必要がある。
【０１０１】
本第５の実施の形態は、本第４の実施の形態と、混合して運用してもよい。つまり、ソフトウェア実体とソフトウェア識別子の２つ組が不可分にパッケージ化されたものと、ソフトウェア実体とソフトウェア識別子とパーミッション情報の３つ組が不可分にパッケージ化されたものとが、混在して流通してもよい。センタ装置２から送り込まれ取得したパーミッション情報にもとづくパーミッション設定が存在しない場合、前者の２つ組パッケージのソフトウェア実体は、起動が禁止され、後者の３つ組パッケージのソフトウェア実体は、パッケージ内から取り出したパーミッション情報の設定が完了すればその後の起動が許可される。
【０１０２】
＜第６の実施の形態＞
図６は、第６の実施の形態を説明する構成図である。
【０１０３】
図６には、デバイスオブジェクトと、その属性情報をあらわすデバイスカテゴリ情報と共に登録するためのデバイス管理ソフトウェアと、デバイスオブジェクトに適合するドライバソフトウェア実体のドライバ識別子をデバイスカテゴリ情報に基づいて特定し、ドライバ識別子を伴うドライバソフトウェア要求に対応してドライバソフトウェア実体を取得するためのドライバロケータソフトウェアと、ドライバロケータソフトウェアに不可分にパッケージ化されるプレフィックス識別子と、プレフィックス識別子とドライバロケータソフトウェアに体系付けられたドライバ識別子との組み合わせからなるソフトウェア識別子と、ホームゲートウェイ上で稼働するドライバソフトウェア実体に付与される実行権限となるパーミッション情報と、をドライバソフトウェア実体に対応づけて登録するためのパーミッション情報登録手段と、ソフトウェア識別子およびそれに対応するパーミッション情報をホームゲートウェイへ伝達するための識別情報伝達手段と、を有するセンタ装置と、センタ装置からソフトウェア識別子およびそれに対応するパーミッション情報を取得するための識別情報取得手段と、センタ装置から取得したパーミッション情報のみに従ってソフトウェア実体の実行権限を設定するための実行権限設定手段と、デバイス管理ソフトウェアにより登録されるデバイスオブジェクトからデバイスカテゴリ情報を取得するためのデバイスカテゴリ情報取得手段と、ドライバロケータソフトウェアにデバイスカテゴリ情報を与えてドライバ識別子を応答させるためのドライバ識別子応答手段と、ドライバロケータソフトウェアにドライバ識別子を与えてデバイスオブジェクトと連携動作するドライバソフトウェア実体を取得させるためのドライバソフトウェア実体取得手段と、ドライバロケータソフトウェアからドライバロケータソフトウェアに不可分にパッケージ化されたプレフィックス識別子を取得するためのプレフィックス識別子取得手段と、プレフィックス識別子とドライバ識別子からソフトウェア識別子を生成するためのソフトウェア識別子生成手段と、ドライバソフトウェア実体を生成したソフトウェア識別子に対応するものとしてインストールおよび起動する起動手段と、を有するホームゲートウェイと、が示されている。
【０１０４】
このような構成の第６の実施の形態は、以下の動作をするソフトウェア実体の実行環境１０に対して適用される。
【０１０５】
ホームゲートウェイ１上で稼働するデバイス管理ソフトウェアが、ホームネットワーク上に接続されたデバイス装置に対応するデバイスオブジェクト３４を、デバイス３５の属性情報をあらわすデバイスカテゴリ情報と共に、ホームゲートウェイ１のソフトウェア実体の実行環境１０に登録すると、ソフトウェア実体の実行環境１０が、登録されたデバイスオブジェクト３４のデバイスカテゴリ情報を、ドライバロケータ３１に通知する。
【０１０６】
ドライバロケータ３１は、デバイスカテゴリ情報をもって問合せを受けると、そのデバイスカテゴリのデバイスオブジェクト３４に連携動作することが可能なドライバソフトウェアを選定し、ドライバソフトウェアに対応するドライバロケータ３１内の体系で管理されるドライバ識別子を特定する。
【０１０７】
また、ドライバロケータ３１は、ドライバ識別子を伴うドライバソフトウェア要求を受けると、そのドライバ識別子に対応するドライバソフトウェア実体を取得して要求元に引き渡す機能を持ち、従って、ドライバロケータ３１は、自分の管理するドライバソフトウェア３２の対応するドライバソフトウェア実体の取得手段も備えていることを前提とする。
【０１０８】
インストールされるドライバソフトウェア３２は、自分に付与されているドライバ識別子についての情報をもたなくてもよい。
【０１０９】
ドライバソフトウェア実体とドライバ識別子との対応を情報として保持しているのは、ドライバロケータ３１側である。
【０１１０】
このソフトウェア実体の実行環境１０の実例として、典型的なＯＳＧｉの実装があげられる。
【０１１１】
「ベースドライバ」と呼ばれるデバイス管理ソフトウェアが、デバイスオブジェクトを登録すると、ＯＳＧｉ実装の一部である「デバイスマネージャ」が、ドライバロケータに、デバイスカテゴリを示して、適合の候補となるドライバソフトウェアを取得させ、取得したドライバソフトウェア３２をインストールする。
【０１１２】
そして、インストールされたドライバソフトウェア３２の中から、最も登録されたデバイスオブジェクト３４と適合するドライバソフトウェア３２を、そのデバイスオブジェクト３４と結びつけ連携動作させる、「デバイスアクセス」という機構を備えている。
【０１１３】
この「デバイスアクセス」機能において、ドライバロケータソフトウェア３１内の体系で管理される、「ドライバＩＤ」なるドライバ識別子によって、ドライバソフトウェア３２が管理される。ＯＳＧｉの枠組みにおいては、ドライバソフトウェア３２自身は、自身にどのようなドライバＩＤが付与されているかについての情報は保持する必要はなく、その情報は、ドライバロケータ３１側が持つ。
【０１１４】
また、本第６の実施の形態においてドライバロケータソフトウェア３１は、ドライバロケータソフトウェア３１毎に異なるプレフィックス識別子が不可分にパッケージ化されて流通することを前提とする。
【０１１５】
プレフィックス識別子としては、センタ装置２でソフトウェア実体に対応するものとして管理される、ドライバロケータソフトウェア３１自身のソフトウェア識別子そのものを利用してもよいが、これに制限されるものではない。
【０１１６】
異なるドライバロケータソフトウェア３１に対して、異なるプレフィックス識別子が付与されていさえすればよく、ドライバの提供ベンダ名を組み入れるなど管理上都合のよい体系のプレフィックス識別子をつけてよい。
【０１１７】
複数のドライバロケータソフトウェア３１は、めいめい独自に体系づけたドライバ識別子を管理するため、異なる体系内で、同一のドライバ識別子が付与されることもありえるが、それぞれのドライバロケータに付与されるプレフィックス識別子が異なっていさえすれば、これは構わない。これは、以下に説明するドライバソフトウェア３２に付与するソフトウェア識別子の一意性を保つ上で問題ないからである。
【０１１８】
ドライバソフトウェア３２の側に付与するソフトウェア識別子は、そのドライバソフトウェア３２を扱うドライバロケータのプレフィックス識別子及びドライバソフトウェア３２のドライバ識別子の組によって生成された識別子が付与されセンタ装置２側で登録運用される。
【０１１９】
同一のドライバソフトウェア実体を、異なるドライバロケータが扱ってもさしつかえないが、その場合は、同一のドライバソフトウェア３２に対して異なる複数のソフトウェア識別子が割り当てられることになる。ソフトウェア識別子は、同一のソフトウェア実体に対して、同一の値となることが望ましいが特にこれに限る必要はない。
【０１２０】
ソフトウェア識別子に対してソフトウェア実体が一意に特定されればよく、ソフトウェア実体に対してソフトウェア識別子が一意に定まることは必須ではない。
【０１２１】
ドライバロケータは、ドライバソフトウェア３２のソフトウェア識別子を直接取り扱う手段をもたず、ドライバ識別子のみを扱う。これは、ソフトウェア識別子は、本実施の形態のホームゲートウェイソフトウェアパーミッション管理システムの管理主体によって運用されるものであり、ドライバロケータソフトウェア３１の開発ベンダとは、管理主体が異なることを想定しているためである。
【０１２２】
ドライバ識別子は、ドライバソフトウェア３２を一意に特定する役目を担う意味で、ソフトウェア識別子と役割が重なるが、決定的に異なるのは、ドライバ識別子は、ドライバロケータソフトウェア内で体系付けられた識別子であることである。
【０１２３】
パーミッションを管理するために、センタ装置２で体系づけられるソフトウェア識別子とは異なる。
【０１２４】
本第６の実施の形態は、異なる体系で管理されたドライバ識別子を、本実施の形態のパーミッション管理の枠組みに組み入れソフトウェアのソフトウェア識別子の体系と結びつけることを目的として構成される。
【０１２５】
センタ装置２側の動作、およびホームゲートウェイ１側で、ソフトウェア識別子とパーミッション情報をセンタ装置２から受信してアクセスコントロールリストに登録する動作は、第１の実施の形態と同じである。ただし、前述したようにドライバソフトウェア３２のソフトウェア識別子は、ドライバロケータ不可分に付与するプレフィックス識別子と、ドライバ識別子から生成されたものを付与して運用するものとする。ドライバソフトウェア実体がホームゲートウェイ１上で稼働する際に設定されるべきパーミッション情報は、あらかじめホームゲートウェイ１へ送り込まれ、ホームゲートウェイ１側で、パーミッション設定が行われる。
【０１２６】
ドライバロケータソフトウェア３１および、デバイス管理ソフトウェアは、それぞれ適切なパーミッション設定がなされ、ホームゲートウェイ１上にそのソフトウェア実体がインストールされ、既に稼働しているものとする。
【０１２７】
本第６の実施の形態のシステムにおいて、デバイス管理ソフトウェアおよび、ドライバロケータソフトウェア３１は、システムの構成要素であると共に、システムの処理対象でもあり、その処理対象であるソフトウェア実体は、本第６の実施の形態のシステムと連携動作する。
【０１２８】
つまり、デバイス管理ソフトウェアは、デバイスカテゴリ情報を伴ってデバイスオブジェクト３４を登録可能である。ドライバロケータソフトウェア３１は、デバイスカテゴリを伴う問合せに対して、デバイスオブジェクト３４と適合して連携動作することが可能なドライバソフトウェア３２のドライバ識別子を返答すること、および、ドライバ識別子を伴うドライバソフトウェア要求を受けるとドライバソフトウェア実体を取得して要求元に引き渡し可能である。
【０１２９】
他方、本第６の実施の形態の構成要素であるホームゲートウェイ１側は、デバイスオブジェクト３４からデバイスカテゴリ情報を取得する手段と、デバイスロケータソフトウェアにデバイスカテゴリ情報を与えてドライバ識別子を答えさせる手段と、ドライバロケータソフトウェア３１ソフトウェアにドライバ識別子をあたえて、ドライバソフトウェア実体を取得させる手段を備える。
【０１３０】
さらに、ホームゲートウェイ１は、デバイスロケータソフトウェアに不可分にパッケージ化されたプレフィックス識別子をデバイスロケータソフトウェアから取得する手段、および、プレフィックス識別子とドライバ識別子から、ドライバソフトウェア３２のソフトウェア識別子を生成する手段と、生成したソフトウェア識別子に対するものとして、取得したドライバソフトウェア３２をインストール、起動する手段を備える。
【０１３１】
ホームゲートウェイ１において、デバイス管理ソフトウェアが、ホームゲートウェイ１側のホームネットワーク上に接続されたデバイスを検出し、デバイスオブジェクト３４をデバイスカテゴリ情報と共にソフトウェア実体の実行環境１０に登録すると、ホームゲートウェイ１は、登録されたデバイスオブジェクト３４からデバイスカテゴリ情報を取り出し、そのデバイスカテゴリ情報を伴ってデバイスロケータへ問合せを行いドライバ識別子を応答させる。
【０１３２】
また、デバイスロケータソフトウェアから不可分にパッケージ化されたプレフィックス識別子を取り出す。
【０１３３】
そして、ドライバ識別子と、プレフィックス識別子の組からドライバソフトウェア３２のソフトウェア識別子を生成する。典型的には、プレフィックス識別子とドライバ識別子の文字列連結によりソフトウェア識別子を生成する方法を用いると実装が簡単である。
【０１３４】
ホームゲートウェイ１は、ドライバ識別子を伴って、ドライバソフトウェア要求をドライバロケータソフトウェア３１にかけ、ドライバロケータソフトウェア３１に、ドライバソフトウェア実体を取得させ、それを、プレフィックス識別子とドライバ識別子から生成したソフトウェア識別子に対応するドライバソフトウェア実体としてインストールおよび起動する。
【０１３５】
起動されたドライバソフトウェア実体は、生成されたソフトウェア識別子に対応づけられたパーミッション設定内容に束縛された権限で稼働する。センタ装置２側からは、ドライバソフトウェア３２のソフトウェア識別子は、プレフィックス識別子と、ドライバ識別子から生成されたものを付与し、そのソフトウェア識別子に対応するパーミッション情報が送り込まれ、ホームゲートウェイ１側でパーミッション設定されているはずなので、この構成により、センタ装置２の意図するパーミッション設定の権限内容で、ドライバソフトウェア３２は稼働する。
【０１３６】
このような本第６の実施の形態の構成により、ドライバロケータソフトウェア３１内でのみ通用するように体系付けられたドライバ識別子を、パーミッション設定のために体系付けているソフトウェア識別子の枠組みに組み込みつつ、ドライバソフトウェア３２のパーミッションをセンタ装置２主導で制御することができる効果をもたらす。
【０１３７】
ドライバロケータソフトウェア３１の開発者は、扱う対象のドライバソフトウェア３２が、随時増えるようなことがあっても、各ドライバソフトウェア実体に対するドライバ識別子をドライバロケータソフトウェア３１内で、自由にドライバ識別子を体系付けて、管理することができる。つまり、ドライバロケータソフトウェア３１の開発者が各ドライバソフトウェア３２を識別管理する上で都合のよい名称を自由に付与することができ、効果がある。
【０１３８】
ドライバソフトウェア実体のパーミッション設定は、センタ装置２主導で行うが、インストール、起動のタイミングは、ホームゲートウェイ１に接続されたデバイスを、デバイス管理ソフトウェアが検知してデバイスオブジェクト３４を登録したときに発生し、それはセンタ装置２側の管理範疇外である。
【０１３９】
これは、本実施の形態の第４の実施の形態の説明で述べたのと同様の、ホームゲートウェイ１上で稼働する別のソフトウェア実体からの指示により、ドライバソフトウェア実体がインストールされ、起動される形態である。
【０１４０】
＜第７の実施の形態＞
図７は、第７の実施の形態を説明する構成図である。
【０１４１】
この図７には、デバイスオブジェクトと、その属性情報をあらわすデバイスカテゴリ情報と共に登録するためのデバイス管理ソフトウェアと、デバイスオブジェクトに適合するドライバソフトウェア実体のドライバ識別子をデバイスカテゴリ情報に基づいて特定し、ドライバ識別子を伴うドライバソフトウェア要求に対応してドライバソフトウェア実体を取得するためのドライバロケータソフトウェアと、ドライバソフトウェア実体を定めるドライバ識別子をキーにして一意にソフトウェア識別子を検索可能なように体系付けられたドライバソフトウェアのソフトウェア識別子と、ホームゲートウェイ上で稼働しドライバロケータソフトウェアが取得するドライバソフトウェア実体に付与される実行権限となるパーミッション情報をドライバソフトウェア実体に対応づけて登録するためのパーミッション情報登録手段と、ソフトウェア識別子およびそれに対応するパーミッション情報をホームゲートウェイへ伝達するための識別情報伝達手段と、を有するセンタ装置と、センタ装置からソフトウェア識別子およびそれに対応するパーミッション情報を取得するための識別情報取得手段と、センタ装置から取得したパーミッション情報のみに従ってソフトウェア実体の実行権限を設定するための実行権限設定手段と、デバイス管理ソフトウェアにより登録されるデバイスオブジェクトからデバイスカテゴリ情報を取得するためのデバイスカテゴリ情報取得手段と、ドライバロケータソフトウェアにデバイスカテゴリ情報を与えてドライバ識別子を応答させるためのドライバ識別子取得手段と、ドライバロケータソフトウェアにドライバ識別子を与えてデバイスオブジェクトと連携動作するドライバソフトウェア実体を取得させるためのドライバソフトウェア実体取得手段と、ドライバ識別子をキーにセンタ装置より取得したパーミッション情報のソフトウェア識別子を検索してソフトウェア識別子を一意に特定する手段と、ドライバソフトウェア実体を検索により特定したソフトウェア識別子に対応するものとしてインストールおよび起動する起動手段と、を有するホームゲートウェイと、が示されている。
【０１４２】
このような構成の第７の実施の形態においては、デバイス管理ソフトウェア、ドライバロケータソフトウェア、ドライバソフトウェアの位置づけは、第６の実施の形態における位置づけと同じである。以下、第６の実施の形態と異なる部分を説明する。
【０１４３】
ドライバロケータソフトウェアが管理するドライバ識別子は、各ドライバロケータ内だけでなく、インストールされているもの、いないものも含めて全ドライバロケータに横断的に、一意のものが、ドライバソフトウェア実体に対して割り振られて運用されていることを前提とする。
【０１４４】
例えば、ＯＳＧｉにおけるドライバＩＤは、ＯＳＧｉの規定により、あるドライバソフトウェアに割り当てられるドライバＩＤは、全世界を通じて唯一無二であることを必要条件としている。
【０１４５】
また、ドライバソフトウェア実体に付与されるソフトウェア識別子は、センタ装置２側で管理しやすいようなセンタ装置２側で自由に定めた文字列と、ドライバロケータ開発側が決めたドライバ識別子の組から生成されたものが付与されて運用される。
【０１４６】
このとき、ソフトウェア識別子は、ソフトウェア識別子の集合の中にそのソフトウェア識別子が存在するのならば、ドライバ識別子をキーにした検索により、一意に特定できるように生成される。
【０１４７】
典型的には、センタ装置２で自由に定める文字列とドライバ識別子を区切り文字を挟んで文字列連結したものである。この場合、区切り文字には、センタ装置２で自由に定める文字列とドライバ識別子中に出現しないものを使うことにする。
【０１４８】
区切り文字以降の文字列が、ドライバ識別子と一致するソフトウェア識別子を検索することにより、そのドライバ識別子のドライバソフトウェア実体に対応するソフトウェア識別子を見出すことができる。
【０１４９】
センタ装置２側の動作、およびホームゲートウェイ１側で、ソフトウェア識別子とパーミッション情報をセンタ装置２から受信してアクセスコントロールリストに登録する動作は、第１の実施の形態と同じである。ただし、前述したようにドライバソフトウェアのソフトウェア識別子は、ドライバ識別子から検索可能なように体系付けられたソフトウェア識別子を付与して運用されるものとする。
【０１５０】
対して、ホームゲートウェイ１側では、第６の実施の形態と同様、ドライバロケータソフトウェアにデバイスカテゴリ情報を与えてドライバ識別子を答えさせる手段と、ドライバロケータソフトウェアにドライバ識別子を与えてデバイスオブジェクトと連携動作するドライバソフトウェア実体を取得させる手段と、を備える一方、第６の実施の形態と異なる部分として、ドライバ識別子をキーにセンタ装置２より取得したパーミッション情報のソフトウェア識別子を検索することによりソフトウェア識別子を一意に特定する手段と、取得させたドライバソフトウェア実体を、検索により特定したソフトウェア識別子に対応するものとして、インストールおよび起動する手段と、を備える。
【０１５１】
ホームゲートウェイ１において、デバイス管理ソフトウェアが、ホームゲートウェイ１側のホームネットワーク上に接続されたデバイスを検出し、デバイスオブジェクトをデバイスカテゴリ情報と共にソフトウェア実体の実行環境１０に登録すると、ホームゲートウェイ１は、登録されたデバイスオブジェクトからデバイスカテゴリ情報を取り出し、そのデバイスカテゴリ情報を伴ってデバイスロケータへ問合せを行いドライバ識別子を応答させる。
【０１５２】
次にホームゲートウェイ１は、取得したドライバ識別子をキーとして、センタ装置２から送り込まれたパーミッション情報に対応づけられたソフトウェア識別子の集合の中にあるはずの、ドライバ識別子に対応するソフトウェア識別子を検索し、ソフトウェア識別子を特定する。
【０１５３】
さらに、ホームゲートウェイ１は、ドライバ識別子を伴って、ドライバソフトウェア要求をドライバロケータにかけ、ドライバロケータに、ドライバソフトウェア実体を取得させ、検索により特定したソフトウェア識別子に対応するドライバソフトウェア実体としてインストールおよび起動する。第６の実施の形態と同様、起動されたドライバソフトウェア実体は、生成されたソフトウェア識別子に対応づけられたパーミッション設定内容に束縛された権限で稼働する。
【０１５４】
特定された、ソフトウェア識別子は、センタ装置２から送り込まれたパーミッション情報が存在するソフトウェア識別子であるはずなので、この構成により、センタ装置２の意図するパーミッション設定の権限内容で、ドライバソフトウェアは稼働する。
【０１５５】
このような構成にすることにより、センタ装置２側は、ドライバ識別子の表現内容に束縛されることなく、センタ装置２側で自由な文字列を、ソフトウェア識別子に、部分的に付与することができる。
【０１５６】
このため、センタ装置２側で管理する上で都合のよい文字列をつけることにより、管理を簡素化することができる効果を生み出す。
【０１５７】
ドライバ識別子は、ドライバロケータの開発主体が寄り合う、一元的な組織によって管理運営されることが想定されるため、センタ装置２側の管理の都合にあわせた体系で、ドライバ識別子を決めることができないが、本第７の実施の形態の構成により、センタ装置２に都合のよい体系を組み込んで、ソフトウェア識別子を運用しつつそのソフトウェア識別子に対応するソフトウェア実体のパーミッション設定を制御することができる。
【０１５８】
＜第８の実施の形態＞
図８は、第８の実施の形態を説明する構成図である。
【０１５９】
図８には、ソフトウェア実体を特定するためのソフトウェア識別子と、それぞれのホームゲートウェイで差異のある情報を具体的な値に置き換える対象としてマクロ表現してパーミッションを記載したマクロ表現入りパーミッション情報と、を対応づけて登録するための識別子登録手段と、ソフトウェア識別子とそれに対応するマクロ表現入りパーミッション情報をホームゲートウェイに伝達するためのパーミッション情報伝達手段と、を有するセンタ装置と、ソフトウェア識別子とマクロ表現入りパーミッション情報をセンタ装置より取得するためのマクロ表現入りパーミッション情報取得手段と、取得したマクロ表現入りパーミッション情報を保持格納するためのパーミッション情報格納手段と、マクロ表現を具体的な値に展開するマクロ表現展開情報をローカルに維持管理するためのマクロ情報管理手段と、マクロ表現入りパーミッション情報とマクロ表現展開情報からパーミッション情報を生成するためのパーミッション情報生成手段と、マクロ表現入りパーミッション情報またはマクロ表現展開情報が変化した際にパーミッション情報を生成しなおすためのパーミッション情報再生成手段と、パーミッション情報再生成手段で生成したパーミッション情報のみに従ってソフトウェア実体の実行権限を設定するための実行権限設定手段と、を有するホームゲートウェイと、が示されている。
【０１６０】
このような構成のホームゲートウェイ１が設置されるホームネットワークの環境は、ホームゲートウェイ毎に一般に異なる。例えば、同じベンダのデバイス装置をホームネットワーク上に設置し、同じベンダが提供するソフトウェア実体をホームゲートウェイ１上にインストールしても、デバイスに付与されるＩＰアドレスは、各ホームネットワーク上で異なる。
【０１６１】
もしもパーミッション設定を、所定のＩＰアドレスを持つデバイスに対するアクセスの制限として表現する場合、同じデバイス装置を設置し、同じソフトウェア実体をインストールしていたとしても、そのソフトウェア実体に付与すべきパーミッション設定は異なることになる。
【０１６２】
本第８の実施の形態は、設定するパーミッションの内容にマクロ表現を組み込み、最終的なパーミッション設定を、各ホームゲートウェイ１で管理されるローカル情報をもちいて、マクロ表現を置き換えることにより、センタ装置２から、各ホームゲートウェイ１へ送り込む、デバイス装置を制御するためのソフトウェア実体のソフトウェア識別子に対するパーミッション情報を同一にすることで、センタ装置２側で行うパーミッション管理を簡素化することを目的とする。
【０１６３】
そのために、それぞれのホームゲートウェイ１で差異のある情報を、のちのち具体的な値に置き換える対象としてマクロ表現してパーミッションを記載したマクロ表現入りパーミッション情報５１をセンタ装置２側で管理する。
【０１６４】
ホームゲートウェイ１側では、マクロ表現部分が具体的にどのような値になるかをローカル情報とローカル情報管理５３にて管理する。
【０１６５】
例えば、デバイス装置にＤＨＣＰがＩＰアドレスを払い出した時に、その「デバイス装置を表すＩＰアドレス」を表すマクロ表現に対する具体的ＩＰアドレスをマクロ情報展開情報５２として管理維持する。
【０１６６】
また、例えば、同じＡ社製の同機種カメラデバイス６０の２台に対して、一方には、玄関の監視用と、一方にはペットのモニタリング用途を割り振ったり、複数のＢ社製デバイス６１である電力センサデバイスに対して、総使用電力量測定のためという共通の用途を割り振るために、エンドユーザに、それぞれの用途のデバイスにどのＩＰアドレスが対応するかを明示的に設定をしてもらうことにより管理維持するようにしてもよい。
【０１６７】
本第８の実施の形態において、センタ装置２側は、ソフトウェア実体を特定するソフトウェア識別子と、マクロ表現入りパーミッション情報とを対応づけて登録する手段と、ソフトウェア識別子とそれに対応するマクロ表現入りパーミッション情報をホームゲートウェイ１に伝達する手段を備える。
【０１６８】
他方、ホームゲートウェイ１側は、ソフトウェア識別子とマクロ表現入りパーミッション情報をセンタ装置２より取得する手段と、取得したマクロ表現入りパーミッション情報を保持格納する手段と、マクロ表現を具体的な値に展開するマクロ表現展開情報５２をローカルに維持管理する手段と、センタ装置２から取得保持しているマクロ表現入りパーミッション情報５１とローカルに管理されるマクロ表現展開情報５２からパーミッション情報を生成する手段と、マクロ表現入りパーミッション情報５１またはマクロ表現展開情報５２が変化した際にパーミッション情報を生成しなおす手段と、生成したパーミッション情報のみに従ってソフトウェア実体の実行権限を設定する手段と、を備える。
【０１６９】
まず、センタ装置２側において、ソフトウェア識別子とマクロ表現入りパーミッション情報５１の組が、対応づけられてセンタ装置２に登録される。
【０１７０】
登録されたソフトウェア識別子とマクロ表現入りパーミッション情報５１は、センタ装置２からホームゲートウェイ１へ向けて送信される。
【０１７１】
ホームゲートウェイ１側は、ソフトウェア識別子とマクロ表現入りパーミッション情報５１を取得したら、マクロ表現入りパーミッション情報を保持格納する。
【０１７２】
また、ホームゲートウェイ１は、マクロ表現と具体的値の対応情報を、マクロ展開情報５２としてローカルに維持管理する。
【０１７３】
センタ装置２から取得して保持格納しているマクロ表現入りパーミッション情報５１か、ローカルに維持管理されているマクロ展開情報５２のどちらかが更新されると、ホームゲートウェイ１は、速やかに、マクロ表現部分を、マクロ展開情報５２を使って展開して、完成されたパーミッション情報を生成し、アクセスコントロールを、生成したパーミッション情報に従ってパーミッション設定する。
【０１７４】
例えば、監視用ソフトウェアに対応するソフトウェア識別子１には、Ａ社製のカメラ６０を玄関の監視用に使う意味づけをしたマクロとして「マクロＡ−用途ａ」と表現し、またペット管理用ソフトウェアに対応するソフトウェア識別子２には、Ａ社製のカメラ６０をペットのモニタリング用に使う意味づけをしたマクロとして「マクロＡ−用途ｂ」と表現し、出力管理ソフトウェアに対応するソフトウェア識別子３には、電力センサ６１を、総電力量測定用に使う意味づけをしたマクロとして、「マクロＢ」と表現したマクロ表現入りパーミッション情報を、センタ装置６１からホームゲートウェイ１に送り込むと、マクロ表現部分が、それぞれの用途に対応したデバイスのＩＰアドレスに置き換わり、各ソフトウェア実体は、許可されたデバイスのみにアクセスするようパーミッション設定される。
【０１７５】
このように、本第８の実施の形態の構成にすることにより、各ホームゲートウェイ１が設置されているそれぞれのホームネットワークにおいて、同じ位置づけながらそれぞれのホームゲートウェイ１で差異のある情報を、マクロ展開情報５２として、ゲートウェイ側で解決させることができ、センタ装置２側が複数のホームゲートウェイ毎に個別に異なるパーミッション情報を送り込むことなく、統一された表現のマクロ表現入りパーミッション情報５１を送り込むのみでよい。
【０１７６】
また、ホームゲートウェイ１側も、各デバイス装置に付与されている具体的ＩＰアドレスをセンタ装置２側に明かす必要はない。
【０１７７】
特に、ＩＰ電話等のアドレスなどは、プライベートな情報とみなせる場合もあり、このようなプライベート情報を、センタ装置２に明かすことなく、センタ装置２からの指示にもとづいてパーミッション設定を行うことができる。また、センタ装置２側も、各ホームゲートウェイ１が設置されているホームネットワークにおける、情報を収集把握する必要がなくなる。
【０１７８】
＜第９の実施の形態＞
図９は、第９の実施の形態を説明する構成図である。
【０１７９】
図９には、ソフトウェア実体を特定するためのソフトウェア識別子と、ホームゲートウェイ上で稼働するソフトウェア実体に付与される実行権限を表すためのパーミッション情報、または、ソフトウェア実体が提供する機能の実行権限をあらわすために該ソフトウェア実体が自身で定義する独自定義パーミッション情報と、を対応づけて登録するためのパーミッション情報登録手段と、ソフトウェア識別子とそれに対応するパーミッション情報と独自定義パーミッション情報をホームゲートウェイへ伝達するためのパーミッション情報達手段と、を有するセンタ装置と、ソフトウェア識別子とパーミッション情報と独自定義パーミッション情報をセンタ装置より取得するためのパーミッション情報取得手段と、センタ装置から取得したパーミッション情報および独自定義パーミッション情報のみに従ってソフトウェア実体の実行権限を設定するための実行権限設定手段と、ソフトウェア実体が他のソフトウェア実体を利用する際において、該ソフトウェア実体が独自定義パーミッションを持っているか否かの確認の問合せに応答するためのパーミッション確認応答手段と、を有するホームゲートウェイと、が示されている。
【０１８０】
このような構成のサービスを提供するソフトウェア実体は、提供するサービス機能を、他のソフトウェア実体に利用させるために、独自定義されたパーミッションを利用する場合がある。これは、以下の理由による。
【０１８１】
機能を提供するソフトウェア実体は、自分自身が機能を提供するために必要なパーミッション、たとえば、ファイルシステムにアクセスしたり、ネットワーク経由で外へアクセスするパーミッションを取得する。そのソフトウェア実体が、取得したパーミッションを乱用して、機能を提供するために必要ではないファイルにアクセスしたり、ネットワークアクセスをしていないことを、あらかじめ、ソフトウェア実体の中身を入念にチェック確認した上で、問題がないソフトウェア実体に対してのみパーミッションを付与する運用が行われる。
【０１８２】
しかし、機能を提供するソフトウェア実体が提供する機能を、他のソフトウェア実体が利用する際、利用する側のソフトウェア実体側も、その機能を実行するために、機能を提供する側と同じパーミッションを獲得していなければならない場合、利用側のソフトウェア実体の方に対しても、そのソフトウェア実体がそのパーミッション乱用した動作をしていないかを、機能を提供するソフトウェア実体と同程度の入念さでチェックすることが必要になる。
【０１８３】
これでは、ソフトウェア実体の内容が適正であるか否かの吟味を、機能提供するソフトウェア実体を、直接的にしろ、間接的にせよ、活用する全ての利用側のソフトウェア実体に対して、パーミッションを乱用していないかを、入念にチェックしなければならなくなる。
【０１８４】
これでは、運用の手間が非常にかかることになる。
【０１８５】
これを避けるため、機能を提供するソフトウェア実体のみがその機能を実行するパーミッションをもっていればよく、その機能を利用する側の、別のソフトウェア実体に、特にパーミッションを必要としないように、機能提供側ソフトウェア実体を実装することが望ましい。Java（登録商標）では、PrivilegedActionオブジェクトを活用することにより、機能利用側がパーミッションを持っている必要がなくなる。
【０１８６】
しかし、それでは、無条件に提供機能を利用されてしまうことになるため、独自定義されたパーミッションを持っているソフトウェア実体のみが、提供機能を利用できるように、実装することが多い。例えばJava（登録商標）においては、Permissionクラスを継承することによって、独自のPermissionクラスを定義することができ、その独自パーミッションを機能利用ソフトウェア実体が持っているかを、機能提供ソフトウェア実体側で調べることができる。
【０１８７】
このパーミッション定義は、そのパーミッションにより利用制限をかけるあるプログラム実体と、その独自パーミッション権限を獲得して、そのプログラムにより提供されている機能を利用する別のプログラム実体の間で、共有する。
【０１８８】
ある機能提供ソフトウェア実体が、複数の機能を提供する場合、その機能ごとに、独自定義パーミッションを用意することもできる。
【０１８９】
また、機能を提供するソフトウェア実体に与えるパーミッションが多岐にわたり複雑な場合も、機能を利用する側は、まとめあげられ単純化された独自的パーミッションだけを取得していれば機能を利用できる。
【０１９０】
このように、独自定義されたパーミッションは、ハードデバイスをハンドリングし、ハードデバイスを利用した機能を他のソフトウェア実体が利用できるように機能提供するソフトウェア実体においても活用することができる。つまり、そのハードデバイスを操作するために必要な、特殊な権限に相当するパーミッションは、そのハードデバイスを操作するその機能提供側ソフトウェア実体のみに与えればよく、提供される機能を通じてしかハードデバイスを操作しない、利用側のソフトウェア実体は、その機能を利用するための権限を表す、独自定義されたパーミッションを取得していればよく、パーミッション管理をカプセル化することができる。
【０１９１】
さらに、図９に示すように、同種のハードデバイスごとに、それぞれのデバイスをハンドリングする資源インスタンスオブジェクト７３、７４を別々の独自定義パーミッションと対応づけて生成し、各資源インスタンスオブジェクト７３、７４の具備するメソッド内で自インスタンスオブジェクトに関連付けられた独自定義パーミッションを、メソッドを呼び出した側のソフトウェア実体が所有しているかをチェックすることにより、同種のデバイスの利用権限を、特定のソフトウェア実体のみに限定する「インスタンスパーミッション」を実装することもできる。
【０１９２】
例えば、全く同機種のモニタカメラ２台（デバイス７５、７６）を扱うソフトウェア実体は、通常、そのモニタカメラを市販しているベンダから提供されることが想定される。各モニタカメラに対応する資源インスタンスオブジェクトは、この製作ベンダから提供されるソフトウェア実体により、生成され、他のソフトウェア実体向けに機能を提供する。
【０１９３】
しかし同機種のモニタカメラでもその用途によって、そのモニタカメラの操作機能を許可するソフトウェア実体を別々にしたいケースがある。
【０１９４】
例えば、玄関監視用の資源インスタンスオブジェクトのメソッド呼出は、警備サービス用ソフトウェア実体のみがハンドリングし、ペット見守り用のカメラは見守りサービス用ソフトウェア実体のみがハンドリングするようにする運用が考えられる。このような運用は、独自定義パーミッションとして、「インスタンスパーミッション」を活用することにより、簡単に運用できる。
【０１９５】
以上の利用形態を想定し、本第９の実施の形態は、センタ装置２においては、本第１の実施の形態であつかっていたパーミッション情報に、ソフトウェア実体に付与すべき実行権限として独自定義パーミッション情報も加えて、ソフトウェア識別子と対応づけて登録する手段を備える。
【０１９６】
また、ホームゲートウェイ１においては、独自定義パーミッション情報を含めたパーミッション情報をセンタ装置２から取得する手段、および、独自定義パーミッション情報も含めて、ソフトウェア実体の実行権限を設定する手段、および、ソフトウェア実体側から、独自定義パーミッションを呼出側ソフトウェア実体が所有しているか否かの問合せを受けて、所有しているか否かを応答する手段を備える。
【０１９７】
以下、業務フローの一例を想定して、本第９の実施の形態の動作を説明する。
【０１９８】
機能提供側ソフトウェア実体の提供ベンダ（デバイスベンダ）は、機能を利用するための独自パーミッションの定義（独自の権限（１）、独自の権限（２））を、２つの資源インスタンスオブジェクト７３、７４にそれぞれ対応付けて、そのソフトウェア実体７２に組み込む。
【０１９９】
機能利用側のソフトウェア実体サービス（１）、サービス（２）を提供するプロバイダ７７、７８は、ソフトウェア実体を製作するにあたって、デバイスベンダと利用契約を取り交わし使用許諾を得る。
【０２００】
デバイスベンダは、独自の権限（１）をサービス（１）のソフトウェア識別子に、独自の権限（２）をサービス（２）のソフトウェア識別子に与えてよい旨をホームゲートウェイソフトウェアパーミッション管理システムの運営主体に報告する。
【０２０１】
一方、サービス（１）、サービス（２）を提供する各プロバイダは、デバイスベンダより権限（１）、権限（２）の利用許諾を受けた旨を、各サービスのソフトウェア識別子と共に報告する。
【０２０２】
ホームゲートウェイソフトウェアパーミッション管理システムの運営主体は、提供側、利用側の報告がでそろうと、センタ装置２のＡＣＬ４に、サービス（１）のソフトウェア実体には、権限（１）の独自パーミッションを付与し、サービス（２）のソフトウェア実体には、権限（２）の独自パーミッションを付与するよう、独自パーミッション情報を登録する。
【０２０３】
独自パーミッション情報を含むパーミッション情報は、ホームゲートウェイ１に伝達される。
【０２０４】
ホームゲートウェイ１側は、独自パーミッションを、伝達されたパーミッション情報にて指示されたサービス識別子に対してパーミッション設定を行う。
【０２０５】
機能利用側ソフトウェア実体（１）、（２）が稼働している時点で、パーミッション設定は既に完了するようにする。
【０２０６】
機能提供側ソフトウェア実体７２は、機能利用側ソフトウェア実体７０、７１から機能実行の依頼を受けると、その機能に対応づけられた独自定義パーミッションを、その機能を利用しようとしているソフトウェア実体が所持しているか否かを、ゲートウェイ（ソフトウェア実体）に問い合わせる。ゲートウェイは、その問合せに応じて、機能利用側ソフトウェア実体に対応するソフトウェア識別子に対して、独自定義パーミッションが設定されているか否かを応答する。
【０２０７】
もしも、独自パーミッションが設定されていなければ機能提供側ソフトウェア実体は、要求された機能の実行を拒否する。独自パーミッションが設定されていれば、要求された機能を実行する。
【０２０８】
本第９の実施の形態の構成により、独自パーミッションをあらかじめ用意されているパーミッションと同等の扱いで、ホームゲートウェイソフトウェアパーミッション管理システムで管理することができる効果を得られる。
【０２０９】
これにより、特に、複数の同種のデバイスに対応づけて生成された資源インスタンスオブジェクトを、異なるソフトウェア実体に割り当て、割り当てられた資源インスタンスオブジェクトが、他方のソフトウェア実体によってアクセスできないようにする、セパレーションを、インスタンス単位で実現することができる。
【０２１０】
なお、デバイスベンダ７９が、サービス（１）やサービス（２）のプロバイダへ、デバイスベンダ７９が定義した権限（１）、権限（２）のパーミッションの取得を許可したことを受け付け、各サービスのプロバイダが、各サービスのソフトウェア識別子に付与するパーミッションとして独自パーミッションを含めて申請したときに、確かにデバイスベンダ７９が、その独自パーミッションを、そのサービスプロバイダの申請しているサービスのソフトウェア識別子に与えることを許可していることを確認する業務は、システム化することも可能である。
【０２１１】
＜第１０の実施の形態＞
図１０は、第１０の実施の形態を説明する構成図である。
【０２１２】
図１０には、独自定義パーミッション情報と、該独自定義パーミッション情報の設定制御を許可するソフトウェア実体を特定するパーミッション設定ソフトウェア識別子の対応情報と、を共に登録するための対応情報登録手段と、独自定義パーミッション情報と対応情報をホームゲートウェイに伝達するための対応情報伝達手段と、を有するセンタ装置と、対応情報をセンタ装置より取得するための対応情報取得手段と、独自定義パーミッションの付与および没収の設定を他のソフトウェア実体に対して行う依頼としてパーミッションを設定する対象のソフトウェア実体を特定するソフトウェア識別子と、および独自定義パーミッションの情報を伴う独自定義パーミッション設定依頼と、をソフトウェア実体から受け付けるための設定依頼受け取り手段と、独自定義パーミッションの設定依頼をしたソフトウェア実体のソフトウェア識別子と、および独自定義パーミッションの設定依頼で指示されたパーミッション情報と、の組に対し、センタ装置から取得した独自定義パーミッション情報と、およびパーミッション設定ソフトウェア識別子と、の対応情報に該当するものがあるか否かを判断するための対応判断手段と、対応判断手段において該当するものがあると判断された場合にのみ独自定義パーミッション設定依頼にて設定対象としてソフトウェア識別子で指定されたソフトウェア実体に対し、設定依頼された独自定義パーミッションの付与もしくは没収の設定を行うための付与没収手段と、を有するホームゲートウェイと、が示されている。
【０２１３】
このような構成の第１０の実施の形態に比べて、第９の実施の形態においては、独自定義パーミッション情報を含めたパーミッション情報がホームゲートウェイ１に伝達され、ホームゲートウェイ１側でのパーミッション設定が完了した時点で、その独自パーミッションが、どのソフトウェア識別子に割り当てられているかは決定する。センタ装置２は新たな、パーミッション情報が送り込まれない限り、そのパーミッションの設定内容は変化しない。
【０２１４】
しかしながら、ホームネットワーク上に存在するデバイスは、一時的には、あるソフトウェア実体が占有するが、一通りの機能の利用が完了したら、占有を解き、他のソフトウェア実体が利用できるようにしたい場合がある。
【０２１５】
例えば、デバイスとしてテレビモニタは、テレビ電話サービスを実装するソフトウェア実体が電話通話をしている間だけ占有すればよいし、また別の、録画ビデオ再生サービスを実装するソフトウェア実体による、同じテレビモニタの占有は、ビデオ視聴をしている間だけ占有すればよい。
【０２１６】
本第９の実施の形態の構成で、これを行おうとすると、あらたにそのデバイスを占有して利用するソフトウェア実体のソフトウェア識別子に、その独自パーミッションを与えるために、センタ装置２は、独自パーミッションのパーミッション情報を送り込みなおす必要がある。デバイスの占有の移り変わりが頻繁な場合、センタ装置２のパーミッション設定処理負荷が大きなものとなる。
【０２１７】
そこで第１０の実施の形態においては、独自パーミッションを、他のソフトウェア実体に付与したり、奪い取ったりしたりする行為を、独自パーミッションに限って、その独自パーミッションの設定定義している機能提供側のソフトウェア実体が行えるようすることを目的とする。
【０２１８】
第１０の実施の形態は、第９の実施の形態の構成に加え、センタ装置２側においては、独自定義パーミッションと、自ソフトウェア実体が定義管理している独自定義パーミッションに限って、その独自定義パーミッションを他のソフトウェア実体に対して着脱することを許可するソフトウェア実体のソフトウェア識別子を表す独自定義パーミッション設定ソフトウェア識別子との対応情報を登録する手段と、独自定義パーミッション情報を含めたパーミッション情報に加えて、独自定義パーミッションとパーミッション設定ソフトウェア識別子の対応情報も、ホームゲートウェイ１に伝達する手段を備え、ホームゲートウェイ１側においては、センタ装置２より、独自定義パーミッション情報を含めたパーミッション情報に加えて、独自定義パーミッションとパーミッション設定ソフトウェア識別子の対応情報もセンタ装置２より取得する手段と、独自定義パーミッションの付与、没収の設定を他のソフトウェア実体に対して行う依頼として、パーミッションを設定する対象のソフトウェア実体を特定するソフトウェア識別子および独自定義パーミッションの情報を伴う独自定義パーミッション設定依頼を、ソフトウェア実体から受け付ける手段と、独自定義パーミッションの設定依頼をしたソフトウェア実体のソフトウェア識別子と独自定義パーミッションの設定依頼で依頼された独自定義パーミッション情報の組に対して、センタ装置２から取得した独自定義パーミッション情報とパーミッション設定ソフトウェア識別子の対応情報に該当するものがあるか否かを判断する手段と、該当するものがある場合のみ独自定義パーミッション設定依頼にて設定対象としてソフトウェア識別子で指定された、ソフトウェア実体に設定依頼された独自定義パーミッションの付与、もしくは没収の設定を行う手段を備える。
【０２１９】
センタ装置２が、独自パーミッションを含むパーミッション情報をホームゲートウェイ１に伝達して、ホームゲートウェイ１上で、独自パーミッション情報を含むパーミッション設定を行う動作は、本第９の実施の形態と同じである。この場合は、独自パーミッションの特定のソフトウェア識別子への設定は、センタ装置２の指示により直接的に行われることになる。
【０２２０】
本第１０の実施の形態においては、これに加え、センタ装置２から、特定の独自定義パーミッションに関わる設定を、ホームゲートウェイ１上で、稼働するその独自定義パーミッションを定義しているソフトウェア実体に権限委譲することができる。
【０２２１】
ある機能提供側のソフトウェア実体が、提供する機能を利用するために必要な独自パーミッションの他の機能利用側ソフトウェア実体に対して設定作業を行うようにするために、まず、センタ装置２において、機能提供側のソフトウェア実体のソフトウェア識別子を、独自定義パーミッション設定ソフトウェア識別子として、独自定義パーミッションと独自定義パーミッション設定ソフトウェア識別子の対応情報を独自定義パーミッション管理ＤＢ８１に登録する。
【０２２２】
この対応情報は、独自定義パーミッションに関わる設定作業を、どのソフトウェア実体が行ってよいかを表す情報となる。
【０２２３】
独自定義パーミッションと、独自定義パーミッション設定ソフトウェア識別子の対応情報は、センタ装置２よりホームゲートウェイ１に伝達され、ホームゲートウェイ１は、この対応情報をセンタ装置２より取得する。
【０２２４】
機能提供側のソフトウェア実体は、提供する機能を利用するために必要な独自パーミッションを他の機能利用側ソフトウェア実体に対して付与する必要があると判断すると、ホームゲートウェイ１に対して、そのソフトウェア実体を特定するソフトウェア識別子と、設定を行うパーミッション情報を伴う独自定義パーミッション設定依頼をだす。
【０２２５】
ホームゲートウェイ１は、この独自定義パーミッション設定依頼を受けると、この独自定義パーミッション設定依頼を出したソフトウェア実体、すなわち機能提供側ソフトウェア実体が、その独自定義パーミッションの設定依頼をだせるソフトウェア実体であるかを、センタ装置２より取得した、独自定義パーミッションと独自定義パーミッション設定ソフトウェア識別子の対応情報を参照して、チェックする。
【０２２６】
独自定義パーミッションと独自定義パーミッション設定ソフトウェア識別子の対応情報に機能利用側ソフトウェア実体の識別子と、設定依頼された独自定義パーミッションの対応情報が存在しないなら、独自定義パーミッションの設定依頼を拒絶する。
【０２２７】
存在するならば、独自定義パーミッションの設定依頼に伴って伝達された、独自定義パーミッションを設定対象とする機能利用側ソフトウェア実体のソフトウェア識別子に対して、指定された独自定義パーミッションの設定を行う。以降、機能利用側ソフトウェア実体は、設定された独自定義パーミッションに従った権限で、動作する。
【０２２８】
以上の第１０の実施の形態の構成により、機能提供側ソフトウェア実体は、独自定義パーミッションに限っては、機能利用側ソフトウェア実体に対して、独自の裁量で動的に柔軟に、パーミッションの設定を行うことができる。
【０２２９】
また、それにより、独自パーミッションに関わる設定指示をセンタ装置２が全て行う必要がなくなるため、センタ装置２側の処理負荷を軽減できる。
【０２３０】
以上説明した第１〜１０の実施の形態は、ソフトウェア実体を特定するソフトウェア識別子と、ホームゲートウェイ上のソフトウェア実行環境上で、そのソフトウェア実体が動作する際に、動作上の実行権限に制限を課すためにそのソフトウェア実体に付与する「パーミッション情報」を、センタ装置からホームゲートウェイに伝達し、ホームゲートウェイ側で、センタから送り込まれたパーミッション情報のみにもとづいて、パーミッションを設定させる手段を設けることを特徴としている。
【０２３１】
また、本実施の形態によれば、ホームゲートウェイ上で稼働するソフトウェア実体に付与するパーミッションをセンタから遠隔設定可能にし、同一のホームゲートウェイに相乗りした複数のソフトウェア実体のそれぞれが管理する情報がソフトウェア実体同士で互いに引き出されることを防止することができる。
【図面の簡単な説明】
【０２３２】
【図１】第１の実施の形態の構成を説明するための説明図である。
【図２】第２の実施の形態の構成を説明するための説明図である。
【図３】第３の実施の形態の構成を説明するための説明図である。
【図４】第４の実施の形態の構成を説明するための説明図である。
【図５】第５の実施の形態の構成を説明するための説明図である。
【図６】第６の実施の形態の構成を説明するための説明図である。
【図７】第７の実施の形態の構成を説明するための説明図である。
【図８】第８の実施の形態の構成を説明するための説明図である。
【図９】第９の実施の形態の構成を説明するための説明図である。
【図１０】第１０の実施の形態の構成を説明するための説明図である。
【図１１】従来のシステムの構成を説明するための説明図である。
【符号の説明】
【０２３３】
１…ホームゲートウェイ
２…センタ装置
３、４…ＡＣＬ
１０…実行環境
２０…ソフトウェア配布サーバ
３４…デバイスオブジェクト
【図１】
0004624942.tif 000002
【図２】
0004624942.tif 000003
【図３】
0004624942.tif 000004
【図４】
0004624942.tif 000005
【図５】
0004624942.tif 000006
【図６】
0004624942.tif 000007
【図７】
0004624942.tif 000008
【図８】
0004624942.tif 000009
【図９】
0004624942.tif 000010
【図１０】
0004624942.tif 000011
【図１１】
0004624942.tif 000012